(57)【要約】【課題】コメントに適切にポイント付与できるコメント管理システムを提供する。【解決手段】第一端末装置１２からのコメントを、対応する閲覧関連情報を提供したユーザの第二端末装置１３に送信する確認用コメント送信部１１０５と、送信したコメントのうちの、第二端末装置１３のユーザにより受取られたコメントを示す受取コメント情報を送信したユーザのポイントから、受取コメント情報が示すコメントを送信した第一端末装置１２のユーザのポイントに、予め指定されたポイントを移動させるポイント管理部１１０８とを有するコメント管理サーバ装置１１と、確認用コメントのうちの、ユーザが受取るコメントの指定を受け付ける受取コメント受付部１３０３と、受取られたコメントを示す受取コメント情報をコメント管理サーバ装置１１に送信する受取コメント情報送信部１３０４とを有する第二端末装置１３を備えた。【選択図】図１
2012133440.tif 000002
【特許請求の範囲】
【請求項１】
１以上の第一端末装置と、コメント管理サーバ装置と、１以上の第二端末装置と、を備えたコメント管理システムであって、
前記コメント管理サーバ装置は、
閲覧用の情報に関する情報である１以上の閲覧関連情報が格納される閲覧関連情報格納部と、
前記閲覧関連情報格納部に格納されている１以上の閲覧関連情報を前記第一端末装置に送信する閲覧関連情報送信部と、
前記第一端末装置から送信される前記第一端末装置に送信された閲覧関連情報の１以上に対するコメントを受信するコメント受信部と、
前記コメント受信部が受信したコメントを、当該コメントに対応する閲覧関連情報を提供したユーザが利用する第二端末装置に送信する確認用コメント送信部と、
前記１以上の第一端末装置のユーザと１以上の第二端末装置のユーザとがそれぞれ所有するポイントが格納されるポイント情報格納部と、
前記確認用コメント送信部が送信したコメントのうちの、前記第二端末装置のユーザが受取るコメントを示す情報である１以上の受取コメント情報を前記第二端末装置から受信する受取コメント情報受信部と、
前記ポイント情報格納部に格納されているポイントのうちの、前記受取コメント情報を送信した第二端末装置のユーザのポイントから、当該受取コメント情報が示すコメントを送信した前記第一端末装置のユーザのポイントに、予め指定されたポイントを移動させるポイント管理部とを備え、
前記第一端末装置は、
前記コメント管理サーバ装置から送信される閲覧用の情報に関する１以上の閲覧関連情報を受信する第一受信部と
前記第一受信部が受信した閲覧関連情報を表示する第一表示部と、
前記閲覧関連情報に対してユーザが入力したコメントを受け付けるコメント受付部と、
前記コメント受付部が受け付けたコメントを前記コメント管理サーバ装置に送信するコメント送信部とを備え、
前記第二端末装置は、
前記コメント管理サーバ装置が送信するコメントを受信する確認用コメント受信部と、
前記確認用コメント受信部が受信したコメントを表示する第二表示部と、
前記確認用コメント受信部が受信したコメントのうちの、ユーザが受取るコメントの指定を受け付ける受取コメント受付部と、
前記受取コメント受付部が指定を受け付けたコメントを示す受取コメント情報を、コメント管理サーバ装置に送信する受取コメント情報送信部とを備えたコメント管理システム。
【請求項２】
前記コメント管理システムは、１以上の閲覧用サーバ装置を更に備え、
前記閲覧用サーバ装置は、
１以上の閲覧情報が格納される閲覧情報格納部と、
前記閲覧情報格納部に格納されている閲覧情報を送信する閲覧情報送信部と、
前記閲覧情報格納部に格納されている閲覧情報に関する前記閲覧関連情報を取得する閲覧関連情報取得部と、
前記閲覧関連情報取得部が取得した閲覧関連情報を、前記コメント管理サーバ装置に送信する取得閲覧関連情報送信部を更に備え、
前記コメント管理サーバ装置は、
前記閲覧用サーバ装置から前記閲覧関連情報を取得する更新用閲覧関連情報取得部と、
前記更新用閲覧関連情報取得部が取得した閲覧関連情報で、前記閲覧関連情報格納部に格納されている閲覧関連情報を更新する閲覧関連情報更新部とを更に備え、
前記第一受信部は、前記閲覧用サーバ装置から送信される閲覧情報を更に受信し、
前記第一表示部は、前記第一受信部が受信した閲覧情報を更に表示する請求項１記載のコメント管理システム。
【請求項３】
前記コメント管理サーバ装置は、
前記閲覧関連情報を提供するユーザが受取ったコメント数に関する情報である受取コメント関連情報を取得する受取コメント関連情報取得部を更に備え、
前記閲覧関連情報送信部は、前記受取コメント関連情報を前記第一端末装置に送信し、
前記第一受信部は、前記受取コメント関連情報を更に受信し、
前記第一表示部は、前記受取コメント関連情報を更に表示する請求項１または請求項２記載のコメント管理システム。
【請求項４】
前記受取コメント関連情報は、前記閲覧関連情報を提供するユーザが受取ったコメント数に関する順位を示す情報である受取コメント順位情報を有する請求項３記載のコメント管理システム。
【請求項５】
前記コメント管理サーバ装置は、
前記閲覧関連情報を提供するユーザが送信したコメント数に関する情報である送信コメント関連情報を取得する送信コメント関連情報取得部を更に備え、
前記閲覧関連情報送信部は、前記送信コメント関連情報を前記第一端末装置に送信し、
前記第一受信部は、前記送信コメント関連情報を更に受信し、
前記第一表示部は、前記送信コメント関連情報を更に表示する請求項１または請求項４いずれか記載のコメント管理システム。
【請求項６】
前記送信コメント管理情報は、前記閲覧関連情報を提供するユーザが送信したコメント数に関する順位を示す情報である送信コメント順位情報を有する請求項５記載のコメント管理システム。
【請求項７】
前記第一表示部は、前記コメント受付部に対して予め指定された文字数以上のコメントを入力した際に、前記受取コメント関連情報を表示する請求項３または請求項４記載のコメント管理システム。
【請求項８】
前記コメント管理サーバ装置は、
前記確認用コメント送信部が送信するコメントを入力したユーザが入力したコメント数に関する情報である確認用コメント関連情報を取得する確認用コメント関連情報取得部を更に備え、
前記確認用コメント送信部は、前記確認用コメント関連情報を前記第二端末装置に送信し、
前記第二端末装置は、前記確認用コメントの１以上を指定する指定指示を受け付ける指定指示受付部を更に備え、
前記確認用コメント受信部は、前記確認用コメント関連情報を更に受信し、
前記第二表示部は、前記指定指示により指定されたコメントに対応した前記確認用コメント関連情報を更に表示する請求項１または請求項７いずれか記載のコメント管理システム。
【請求項９】
請求項１から請求項８いずれか記載のコメント管理システムを構成するコメント管理サーバ装置。
【請求項１０】
請求項１から請求項８いずれか記載のコメント管理システムを構成する第二端末装置。
【請求項１１】
閲覧用の情報に関する情報である１以上の閲覧関連情報が格納される閲覧関連情報格納部と、閲覧関連情報送信部と、コメント受信部と、確認用コメント送信部と、１以上の第一端末装置のユーザと１以上の第二端末装置のユーザとがそれぞれ所有するポイントが格納されるポイント情報格納部と、受取コメント情報受信部と、ポイント管理部と、コメント出力部とを用いて行われるコメント管理方法であって、
閲覧関連情報送信部が、前記閲覧関連情報格納部に格納されている１以上の閲覧関連情報を第一端末装置に送信する閲覧関連情報送信ステップと、
前記コメント受信部が、前記第一端末装置から送信される前記第一端末装置に送信された閲覧関連情報の１以上に対するコメントを受信するコメント受信部と、
前記確認用コメント送信部が、前記コメント受信ステップで受信したコメントを、当該コメントに対応する閲覧関連情報を提供したユーザが利用する第二端末装置に送信する確認用コメント送信ステップと、
前記受取コメント情報受信部が、前記確認用コメント送信ステップで送信したコメントのうちの、前記第二端末装置のユーザが受取るコメントを示す情報である１以上の受取コメント情報を、前記第二端末装置から受信する受取コメント情報受信ステップと、
前記ポイント管理部が、前記ポイント情報格納部に格納されているポイントのうちの、前記受取コメント情報を送信した第二端末装置のユーザのポイントからを、当該受取コメント情報が示すコメントを送信した前記第一端末装置のユーザのポイントに、予め指定されたポイントを移動させるポイント管理ステップとを備えたコメント管理方法。
【請求項１２】
確認用コメント受信部と、第二表示部と、受取コメント受付部と、受取コメント情報送信部とを用いて行われる情報処理方法であって、
前記確認用コメント受信部が、コメント管理サーバ装置が送信するコメントを受信する確認用コメント受信ステップと、
前記第二表示部が、前記確認用コメント受信ステップで受信したコメントを表示する第二表示ステップと、
前記受取コメント受付部が、前記確認用コメント受信ステップで受信したコメントのうちの、ユーザが受取るコメントの指定を受け付ける受取コメント受付ステップと、
前記受取コメント情報送信部が、前記受取コメント受付ステップで指定を受け付けたコメントを示す受取コメント情報を、前記コメント管理サーバ装置に送信する受取コメント情報送信ステップとを備えた情報処理方法。
【請求項１３】
閲覧用の情報に関する情報である１以上の閲覧関連情報が格納される閲覧関連情報格納部と、前記１以上の第一端末装置のユーザと１以上の第二端末装置のユーザとがそれぞれ所有するポイントが格納されるポイント情報格納部と、にアクセス可能なコンピュータを、
前記閲覧関連情報格納部に格納されている１以上の閲覧関連情報を前記第一端末装置に送信する閲覧関連情報送信部と、
前記第一端末装置から送信される第一端末装置に送信された閲覧関連情報の１以上に対するコメントを受信するコメント受信部と、
前記コメント受信部が受信したコメントを、当該コメントに対応する閲覧関連情報を提供したユーザが利用する第二端末装置に送信する確認用コメント送信部と、
前記確認用コメント送信部が送信したコメントのうちの、前記第二端末装置のユーザが受取るコメントを示す情報である１以上の受取コメント情報を前記第二端末装置から受信する受取コメント情報受信部と、
前記ポイント情報格納部に格納されているポイントのうちの、前記受取コメント情報を送信した第二端末装置のユーザのポイントからを、当該受取コメント情報が示すコメントを送信した前記第一端末装置のユーザのポイントに、予め指定されたポイントを移動させるポイント管理部として機能させるためのプログラム。
【請求項１４】
コンピュータを、
コメント管理サーバ装置が送信するコメントを受信する確認用コメント受信部と、
前記確認用コメント受信部が受信したコメントを表示する第二表示部と、
前記確認用コメント受信部が受信したコメントのうちの、ユーザが受取るコメントの指定を受け付ける受取コメント受付部と、
前記受取コメント受付部が指定を受け付けたコメントを示す受取コメント情報を、コメント管理サーバ装置に送信する受取コメント情報送信部として機能させるためのプログラム。
【発明の詳細な説明】
【技術分野】
【０００１】
本発明は、ユーザが入力したコメントを管理するコメント管理システム等に関するものである。
【背景技術】
【０００２】
従来の技術の例としては、サーバと、前記サーバにネットワークを介して接続されたクライアントを含むコメント管理システムにおいて、前記クライアントは、コメント対象に関し投稿ユーザから投稿されたコメントに対する、複数の評価レベルによる評価の投票を、評価ユーザから受け付ける投票入力手段を有し、前記サーバは、前記クライアントから前記投票を受信する投票受信手段と、前記コメントごとに各評価レベルの投票数を集計し、前記評価レベルの投票数に応じて、対応する評価レベルの投票をした前記評価ユーザに付与するポイントを決定するポイント決定手段とを有することを特徴とするコメント管理システムが知られていた。
【先行技術文献】
【特許文献】
【０００３】
【特許文献１】特開２００９−２０７２４号公報（第１頁、第１図等）
【発明の概要】
【発明が解決しようとする課題】
【０００４】
しかしながら、従来のコメント管理システムにおいては、ＷＥＢページ等に表示された情報に対してコメントを入力したユーザに対して、コメント入力に対するインセンティブとなるポイント等を適切に与えることができない、という課題があった。例えば、上記のように、コメントごとの評価レベルでポイント等を決定する場合、評価レベルの低いユーザはポイントが得られないため、再度コメント入力する意欲を無くしてしまい、結果的にコメント入力を阻害してしまう恐れがある、という問題があった。また、上手なコメントが書けないユーザに対して、インセンティブを与えることができない、という課題があった。一方で、コメント入力した全てのユーザに対してポイント等を与えると、コメントの記入対象となるＷＥＢページのユーザが、ＷＥＢページに掲載したくないコメントや、不適切なコメントに対してもポイントを与えることとなり、不要なポイントを与えることとなるという問題があった。
【課題を解決するための手段】
【０００５】
本発明のコメント管理システムは、１以上の第一端末装置と、コメント管理サーバ装置と、１以上の第二端末装置と、を備えたコメント管理システムであって、コメント管理サーバ装置は、閲覧用の情報に関する情報である１以上の閲覧関連情報が格納される閲覧関連情報格納部と、閲覧関連情報格納部に格納されている１以上の閲覧関連情報を第一端末装置に送信する閲覧関連情報送信部と、第一端末装置から送信される第一端末装置に送信された閲覧関連情報の１以上に対するコメントを受信するコメント受信部と、コメント受信部が受信したコメントを、コメントに対応する閲覧関連情報を提供したユーザが利用する第二端末装置に送信する確認用コメント送信部と、１以上の第一端末装置のユーザと１以上の第二端末装置のユーザとがそれぞれ所有するポイントが格納されるポイント情報格納部と、確認用コメント送信部が送信したコメントのうちの、第二端末装置のユーザが受取るコメントを示す情報である１以上の受取コメント情報を第二端末装置から受信する受取コメント情報受信部と、ポイント情報格納部に格納されているポイントのうちの、受取コメント情報を送信した第二端末装置のユーザのポイントから、受取コメント情報が示すコメントを送信した１以上の第一端末装置のユーザのポイントに、予め指定されたポイントを移動させるポイント管理部とを備え、第一端末装置は、コメント管理サーバ装置から送信される閲覧用の情報に関する１以上の閲覧関連情報を受信する第一受信部と第一受信部が受信した閲覧関連情報を表示する第一表示部と、閲覧関連情報に対してユーザが入力したコメントを受け付けるコメント受付部と、コメント受付部が受け付けたコメントをコメント管理サーバ装置に送信するコメント送信部とを備え、第二端末装置は、コメント管理サーバ装置が送信するコメントを受信する確認用コメント受信部と、確認用コメント受信部が受信したコメントを表示する第二表示部と、確認用コメント受信部が受信したコメントのうちの、ユーザが受取るコメントの指定を受け付ける受取コメント受付部と、受取コメント受付部が指定を受け付けたコメントを示す受取コメント情報を、コメント管理サーバ装置に送信する受取コメント情報送信部とを備えたコメント管理システムである。
【０００６】
かかる構成により、受信したコメントのうちのユーザが受取ったコメントに対してポイントを与えることができ、コメントに対して適切にポイントを与えることができる。
【０００７】
また、本発明のコメント管理システムは、前記コメント管理システムにおいて、コメント管理システムは、１以上の閲覧用サーバ装置を更に備え、閲覧用サーバ装置は、１以上の閲覧情報が格納される閲覧情報格納部と、閲覧情報格納部に格納されている閲覧情報を送信する閲覧情報送信部と、閲覧情報格納部に格納されている閲覧情報に関する閲覧関連情報を取得する閲覧関連情報取得部と、閲覧関連情報取得部が取得した閲覧関連情報を、コメント管理サーバ装置に送信する取得閲覧関連情報送信部を更に備え、コメント管理サーバ装置は、閲覧用サーバ装置から閲覧関連情報を取得する更新用閲覧関連情報取得部と、更新用閲覧関連情報取得部が取得した閲覧関連情報で、閲覧関連情報格納部に格納されている閲覧関連情報を更新する閲覧関連情報更新部とを更に備え、第一受信部は、前記閲覧用サーバ装置から送信される閲覧情報を更に受信し、第一表示部は、第一受信部が受信した閲覧情報を更に表示するコメント管理システムである。
【０００８】
かかる構成により、コメント管理サーバ装置が提供する閲覧情報に関してコメントを受け付け、このコメントの中から、ユーザが受取るコメントを選択的に指定することができるため、コメントに対して適切にポイントを与えることができる。この結果、例えば、さまざまな形態で提供されるＷＥＢページ等の閲覧情報に対するコメントおよびポイントの管理を行うことが可能となる。
【０００９】
また、本発明のコメント管理システムは、前記コメント管理システムにおいて、コメント管理サーバ装置は、閲覧関連情報を提供するユーザが受取ったコメント数に関する情報である受取コメント関連情報を取得する受取コメント関連情報取得部を更に備え、閲覧関連情報送信部は、受取コメント関連情報を第一端末装置に送信し、第一受信部は、受取コメント関連情報を更に受信し、第一表示部は、受取コメント関連情報を更に表示するコメント管理システムである。
【００１０】
かかる構成により、閲覧関連情報を提供するユーザが、コメントを受取りやすいユーザであるか否かを把握することができ、コメント入力時の参考にすることができる。
【００１１】
また、本発明のコメント管理システムは、前記コメント管理システムにおいて、受取コメント関連情報は、閲覧関連情報を提供するユーザが受取ったコメント数に関する順位を示す情報である受取コメント順位情報を有するコメント管理システムである。
【００１２】
かかる構成により、コメントの受取りやすさ等からどのユーザが提供する閲覧関連情報を閲覧するか決定することができる。
【００１３】
また、本発明のコメント管理システムは、前記コメント管理システムにおいて、コメント管理サーバ装置は、閲覧関連情報を提供するユーザが送信したコメント数に関する情報である送信コメント関連情報を取得する送信コメント関連情報取得部を更に備え、閲覧関連情報送信部は、送信コメント関連情報を第一端末装置に送信し、第一受信部は、送信コメント関連情報を更に受信し、第一表示部は、送信コメント関連情報を更に表示するコメント管理システムである。
【００１４】
かかる構成により、閲覧関連情報を提供するユーザが、他のユーザに対して積極的にコメントするユーザであるか否かを把握することができ、コメント入力時の参考にすることができる。
【００１５】
また、本発明のコメント管理システムは、前記コメント管理システムにおいて、送信コメント管理情報は、閲覧関連情報を提供するユーザが送信したコメント数に関する順位を示す情報である送信コメント順位情報を有するコメント管理システムである。
【００１６】
かかる構成により、他のユーザに対してコメント入力を積極的に行うユーザであるか否か等からどのユーザが提供する閲覧関連情報を閲覧するか決定することができる。
【００１７】
また、本発明のコメント管理システムは、前記コメント管理システムにおいて、第一表示部は、コメント受付部に対して予め指定された文字数以上のコメントを入力した際に、受取コメント関連情報を表示するコメント管理システムである。
【００１８】
かかる構成により、コメント入力時に、タイミング良くコメントの受取りやすさ等を表す情報を示すことができる。
【００１９】
また、本発明のコメント管理システムは、前記コメント管理システムにおいて、コメント管理サーバ装置は、確認用コメント送信部が送信するコメントを入力したユーザが入力したコメント数に関する情報である確認用コメント関連情報を取得する確認用コメント関連情報取得部を更に備え、確認用コメント送信部は、確認用コメント関連情報を第二端末装置に送信し、第二端末装置は、確認用コメントの１以上を指定する指定指示を受け付ける指定指示受付部を更に備え、確認用コメント受信部は、確認用コメント関連情報を更に受信し、第二表示部は、指定指示により指定されたコメントに対応した確認用コメント関連情報を更に表示するコメント管理システムである。
【００２０】
かかる構成により、コメントを受取るか否かの決定時に、コメントしたユーザの、コメント数に関する情報を示すことができ、コメントを受取るか否かの判断材料に用いることができる。
【発明の効果】
【００２１】
本発明によるコメント管理システムによれば、コメントに対して適切にポイントを与えることができる。
【図面の簡単な説明】
【００２２】
【図１】本発明の実施の形態１におけるコメント管理システムのブロック図
【図２】同コメント管理サーバ装置の動作を示すフローチャート
【図３】同第一端末装置の動作を示すフローチャート
【図４】同第二端末装置１３の動作を示すフローチャート
【図５】同概念図
【図６】同ユーザ登録画面の表示例を示す図
【図７】同ユーザ情報管理情報示す図
【図８】同閲覧関連管理情報を示す図
【図９】同コメント管理情報を示す図
【図１０】同ユーザ状況管理情報を示す図
【図１１】同表示例を示す図
【図１２】同入力画面の一例を示す図
【図１３】同コメント管理情報を示す図
【図１４】同表示例を示す図
【図１５】同表示例を示す図
【図１６】同コメント管理情報を示す図
【図１７】同ポイント管理情報を示す図
【図１８】同表示例を示す図
【図１９】同表示例を示す図
【図２０】同表示例を示す図
【図２１】本発明の実施の形態２におけるコメント管理システムのブロック図
【図２２】同閲覧用サーバ装置の動作を示すフローチャート
【図２３】同コメント管理サーバ装置の動作を示すフローチャート
【図２４】同コメント管理サーバ装置の動作の詳細を示すフローチャート
【図２５】同第一端末装置の動作を示すフローチャート
【図２６】同概念図
【図２７】同ユーザ登録画面の表示例を示す図
【図２８】同ユーザ情報管理情報を示す図
【図２９】同ＲＳＳデータの一例を示す図
【図３０】同閲覧関連管理情報を示す図
【図３１】同表示例を示す図
【図３２】同表示例を示す図
【図３３】同コメント管理情報を示す図
【図３４】同閲覧用サーバ装置が送信するコメントを反映させた閲覧情報の表示例を示す図
【図３５】本発明の各実施の形態におけるコンピュータシステムの外観の一例を示す図
【図３６】同コンピュータシステムの構成の一例を示す図
【発明を実施するための形態】
【００２３】
以下、コメント管理システム等の実施形態について図面を参照して説明する。なお、実施の形態において同じ符号を付した構成要素は同様の動作を行うので、再度の説明を省略する場合がある。
【００２４】
（実施の形態１）
図１は、本実施の形態におけるコメント管理システム１のブロック図である。
【００２５】
コメント管理システム１は、コメント管理サーバ装置１１、１以上の第一端末装置１２、１以上の第二端末装置１３を備える。コメント管理サーバ装置１１、第一端末装置１２、および第二端末装置１３は、有線や無線のネットワークや通信回線等を介して、通信可能となるよう接続されている。なお、本実施の形態においては、第一端末装置１２と第二端末装置１３とを有する通信端末装置を複数備えているようにしても良いし、この通信端末装置と、第一端末装置１２と、第二端末装置１３と混在させるようにしても良い。係ることは以下の実施の形態においても同様である。なお、ここでは説明の便宜上、第一端末装置１２および第二端末装置１３がそれぞれ一つの場合を図示している。
【００２６】
コメント管理サーバ装置１１は、閲覧関連情報格納部１１０１、閲覧関連情報送信部１１０２、コメント受信部１１０３、コメント格納部１１０４、確認用コメント送信部１１０５、ポイント情報格納部１１０６、受取コメント情報受信部１１０７、ポイント管理部１１０８、コメント出力部１１０９、受取コメント関連情報取得部１１１０、送信コメント関連情報取得部１１１１、確認用コメント関連情報取得部１１１２、ユーザ情報格納部１１１３、およびユーザ状況管理情報格納部１１１４を備える。
【００２７】
第一端末装置１２は、第一受信部１２０１、第一表示部１２０２、コメント受付部１２０３、コメント送信部１２０４を備える。
【００２８】
第二端末装置１３は、確認用コメント受信部１３０１、第二表示部１３０２、受取コメント受付部１３０３、受取コメント情報送信部１３０４、および指定指示受付部１３０５を備える。
【００２９】
コメント管理サーバ装置１１は、ユーザが提供する閲覧関連情報や、ユーザが閲覧関連情報に対して投稿したコメント等を管理するサーバ装置である。コメント管理サーバ装置１１は、例えばコンピュータシステム等により構成される。
【００３０】
閲覧関連情報格納部１１０１には、閲覧用の情報に関する情報である１以上の閲覧関連情報が格納される。閲覧用の情報（以下、閲覧情報と称す）とは、例えば、ＷＥＢブラウザや、電子ブックリーダ等の閲覧用のソフトウェアで閲覧可能な情報である。閲覧情報は、例えば、ＨＴＭＬファイル等のＷＥＢページの情報である。また、閲覧情報は、静止画や動画の画像情報であっても良いし、テキストの情報や、電子文書や電子ブックの情報であっても良い。閲覧情報は、一のＷＥＢページ等の情報を構成する一部の情報であっても良い。
【００３１】
閲覧関連情報は、閲覧情報に関する情報であって、閲覧情報と同様に閲覧可能な情報である。閲覧関連情報は、閲覧情報を構成する一部の情報でも良い。例えば、閲覧情報は、掲示板やブログ（ＷＥＢログ）やミニブログ等のＷＥＢページの、各書き込みや投稿やスレッド等の情報である。また、閲覧関連情報は、例えば、閲覧情報の要約やインデックスやタイトルの情報であってもよい。また、閲覧関連情報は、閲覧情報自身であってもよい。なお、この実施の形態では、閲覧関連情報が、閲覧情報を構成する一部の情報である場合を例にあげて説明する。
【００３２】
閲覧関連情報は、本実施の形態においては、例えば、第二端末装置１３のユーザにより提供される情報である。ユーザにより提供される情報とは、例えば、ユーザにより入力された情報である。具体例としては、ユーザにより書き込まれた掲示板やブログの書き込みの情報である。ただし、ここでは、ユーザが提供している閲覧情報等から、例えば、予め指定されたルールや処理等が行われることで、自動で取得された閲覧関連情報も、ここでは、ユーザが提供した閲覧関連情報であると考える。また、ユーザが指定した閲覧情報等から、例えば、予め指定されたルールや処理等が行われることで、自動で取得された閲覧関連情報も、ここでは、ユーザが提供した閲覧関連情報であると考えてよい。このユーザが指定した閲覧情報は、ユーザが提供する閲覧情報でなくても良い。
【００３３】
なお、閲覧関連情報格納部１１０１から閲覧のために読み出された１以上の閲覧関連情報は、閲覧関連情報送信部１１０２等によって、予め用意されたテンプレートの情報等に配置されたり、予め指定されたルールに従って配置されること等によって、閲覧可能な形式の情報や、閲覧用のレイアウトを有する情報に成形されて閲覧関連情報送信部１１０２等から送信されてもよい。例えば、閲覧情報がデータベース等で管理されているいわゆる掲示板やブログやミニブログ等の書き込みやスレッド等の項目別に管理されたテキストの情報であるとすると、この閲覧情報の１以上が、閲覧関連情報送信部１１０２等により適宜読み出され、予め用意されたテンプレートに配置されて得られた情報が、最終的に送信されても良い。なお、この実施の形態においては、閲覧関連情報が閲覧情報の一部である例について説明するため、このようにして閲覧関連情報が配置された情報を閲覧情報と考えてもよい。
【００３４】
閲覧関連情報格納部１１０１には、例えば、格納されている閲覧関連情報を管理する情報として、閲覧関連情報と、この閲覧関連情報の識別情報（以下、閲覧関連情報ＩＤと称す）とを対応付けて有する閲覧関連管理情報が格納される。閲覧関連情報ＩＤは、閲覧関連情報のＵＲＬや、閲覧関連情報の管理ＩＤ等の、閲覧関連情報を識別可能な情報であればどのような情報であっても良い。さらに、上記の各閲覧関連管理情報は、各閲覧管理情報を提供するユーザの識別情報（以下、提供ユーザＩＤと称す）を有しているようにすることが好ましい。提供ユーザＩＤは、ユーザの名前や、ユーザの会員番号や、ユーザのメールアドレス等、ユーザを識別可能な情報であればよい。
【００３５】
閲覧関連情報格納部１１０１に閲覧関連情報が蓄積される過程は問わない。ここで述べる格納は、一時記憶も含む概念である。閲覧関連情報格納部１１０１は、不揮発性の記録媒体が好適であるが、揮発性の記録媒体でも実現可能である。
【００３６】
閲覧関連情報送信部１１０２は、閲覧関連情報格納部１１０１に格納されている１以上の閲覧関連情報を第一端末装置１２に送信する。閲覧関連情報送信部１１０２は、例えば、一の第一端末装置１２により要求された閲覧関連情報を、閲覧関連情報格納部１１０１から読み出して、要求元となる第一端末装置１２に送信する。閲覧関連情報の要求とは、例えば、第一端末装置１２から送信される、送信対象となる閲覧関連情報を直接指定するＵＲＬや、送信対象となる１以上の閲覧関連情報が配置されるページを指定するＵＲＬや、送信対象となる閲覧関連情報を検索するための検索キー等を含む情報である。検索キーは、例えば、閲覧関連情報に対応付けられた提供ユーザＩＤである。閲覧関連情報送信部１１０２は、送信時に閲覧関連情報をテンプレート等に配置して送信するようにしても良い。また、閲覧関連情報送信部１１０２は、閲覧関連情報を、送信対象の閲覧関連情報の閲覧関連情報ＩＤを付与して送信する。さらに、送信対象の閲覧関連情報を提供するユーザの提供ユーザＩＤを付与して送信してもよい。
【００３７】
さらに、閲覧関連情報送信部１１０２は、後述する受取コメント関連情報を第一端末装置１２に送信してもよい。この受取コメント関連情報は、受取コメント順位情報を少なくとも含むものであっても良い。また、閲覧関連情報送信部１１０２は、後述する送信コメント関連情報を第一端末装置１２に送信してもよい。この送信コメント関連情報は、送信コメント順位情報を少なくとも含むものであっても良い。また、閲覧関連情報送信部１１０２は、例えば、受取コメント順位情報や、送信コメント順位情報と対応付けたり、これらが示す順位に従って配列したユーザの閲覧関連情報や、ユーザの情報等を生成し、第一端末装置１２に送信しても良い。
【００３８】
閲覧関連情報送信部１１０２は、通常、無線または有線の通信手段で実現される。閲覧関連情報送信部１１０２は、通信デバイスを含むと考えても、含まないと考えても良い
【００３９】
コメント受信部１１０３は、第一端末装置１２から送信されるコメントを受信する。コメント受信部１１０３が受信するコメントは、第一端末装置１２に送信された閲覧関連情報の１以上に対するコメントである。コメントは、閲覧関連情報に対する批評や論評等である。コメントは、通常テキストの情報である。但し、画像や音声の情報であっても良い。コメント受信部１１０３は、通常、コメント対象となる閲覧関連情報に対応付けられた閲覧関連情報ＩＤと、コメントしたユーザのユーザＩＤ（以下、コメントユーザＩＤと称す）と対応付けられたコメントを受信する。コメント受信部１１０３は、受信したコメントを、後述するコメント格納部１１０４に蓄積する。
【００４０】
コメント受信部１１０３は、例えば、受信したコメントを管理する情報として、受信コメントと、このコメントとともに受信した閲覧関連情報ＩＤとを対応付けて有するコメント管理情報を、後述するコメント格納部１１０４に蓄積する。さらに、各コメント管理情報は、各コメントとともに受信したコメントユーザＩＤおよび各コメントの識別情報（以下、コメントＩＤと称す）を対応付けて有しているようにすることが好ましい。また、コメント管理情報は、コメントが受取られたか否かを示す情報である受取情報を有することが好ましい。コメントが受取られるということは、例えば、一のコメントが、このコメントの対象となる閲覧関連情報を提供するユーザによって、受取るコメントに指定されることである。コメントの受取については後述する。また、このコメント管理情報は、さらに、各コメントが、第二端末装置１３のユーザによる受取りの判断が既になされたものであるか否かを示す受取判断情報を有していても良い。例えば、コメント受信部１１０３が受信して蓄積しただけのコメントについての受取判断情報の値は、デフォルトで、受取りの判断がされていないことを示す値としても良い。
そして、後述する受取コメント情報受信部１１０７が、一の第二端末装置１３から送信される受取コメント情報を受信した場合、直前に確認用コメント送信部１１０５がこの第二端末装置１３に送信した確認用コメントを、受取りの判断がされたコメントであるとして、このコメントに対応する受取判断情報を、受取が判断済であることを示す値に変更すればよい。なお、受取る、または受け取らない、のいずれかを示す受取情報が対応付けられているコメントを受取りの判断がされたコメントと判断し、受取る、または受け取らない、のいずれかを示す受取情報が対応付けられていないコメント（例えば、受取情報が対応付けられていないコメント）を、受取りの判断がされていないコメントと判断するようにすることで、受取情報を受取判断情報として用いるようにしても良い。
【００４１】
コメント受信部１１０３は、通常、無線または有線の通信手段で実現されるが、放送を受信する手段で実現されても良い。コメント受信部１１０３は、通信デバイスを含むと考えても、含まないと考えても良い。
【００４２】
コメント格納部１１０４には、コメント受信部１１０３が受信したコメントが格納される。例えば、コメント格納部１１０４には、上述したコメント管理情報が格納される。コメント格納部１１０４は、不揮発性の記録媒体が好適であるが、揮発性の記録媒体でも実現可能である。
【００４３】
確認用コメント送信部１１０５は、コメント受信部１１０３が受信したコメントを、コメントに対応する閲覧関連情報を提供したユーザが利用する第二端末装置１３に送信する。確認用コメント送信部１１０５が送信するコメントをここでは確認用コメントと呼ぶ。確認用コメントは、例えば、コメント受信部１１０３が受信したコメントのうちの、受取りの判断がされていないコメントで構成される。確認用コメントは、受取りの候補となるコメントと考えても良い。なお、確認用コメントは、コメント受信部１１０３が受信したコメントのうちの一部であっても良い。例えば、受信したコメントの先頭の予め指定された文字数の文字列であっても良い。コメントに対応する閲覧関連情報を提供したユーザとは、例えば、コメント受信部１１０３が受信したコメントに対応付けられていた閲覧関連情報ＩＤが示す閲覧関連情報を提供したユーザである。具体的には、例えば、後述するユーザ情報格納部１１１３に、受信したコメントに対応付けられている閲覧関連情報ＩＤと対応付けられて格納されているユーザＩＤが示すユーザである。確認用コメント送信部１１０５は、例えば、確認用コメントに付与されている閲覧関連情報ＩＤと対応付けて、後述するユーザ情報格納部１１１３等に予め用意されている当該閲覧関連情報ＩＤに対応するユーザが利用する第二端末装置１３のアドレス情報（例えばメールアドレスや、ＩＰアドレス等）を用いて確認用コメントを送信しても良い。また、確認用コメント送信部１１０５は、ユーザが第二端末装置１３から提供ユーザＩＤを用いた認証を行ってコメント管理サーバ装置１１にアクセスした場合等に、この認証等に用いられた提供ユーザＩＤに対応する閲覧関連情報ＩＤと対応付けられてコメント格納部１１０４に格納されている確認用コメントを読み出して、ユーザＩＤの送信元となる第二端末装置１３に送信するようにしてもよい。また、送信する確認用コメントには、通常、上記のコメントＩＤを付与する。
【００４４】
また、確認用コメント送信部１１０５は、後述する確認用コメント関連情報が取得した確認用コメント関連情報を、第一端末装置１２に送信するようにしてもよい。
【００４５】
確認用コメント送信部１１０５は、通常、無線または有線の通信手段で実現されるが、放送手段で実現されても良い。確認用コメント送信部１１０５は、通信デバイスを含むと考えても、含まないと考えても良い。
【００４６】
ポイント情報格納部１１０６には、１以上の第一端末装置１２のユーザと１以上の第二端末装置１３のユーザとがそれぞれ所有するポイントが格納される。ポイントは、例えば、１以上の第一端末装置１２および１以上の第二端末装置１３のユーザのユーザＩＤと対応付けられてポイント情報格納部１１０６に格納される。ポイントとは、例えば、コメント管理システム１に登録されたユーザ間で利用される価値を表す指標である。仮想の貨幣等と考えてもよい。ポイントは、現実の貨幣に換金可能なものであってもよいし、換金不可のものであってもよい。また、貨幣の代わりに物品およびサービスや、交換可能なものであってもおい。いわゆるマイル等も、ここではポイントの一つであると考える。ポイント情報格納部１１０６には、ユーザ別のポイントを管理する情報として、例えば、ユーザＩＤと、対応するユーザＩＤが示すユーザが所有するポイントとを対応付けたポイント管理情報が格納される。
【００４７】
ポイント情報格納部１１０６は、不揮発性の記録媒体が好適であるが、揮発性の記録媒体でも実現可能である。
【００４８】
ポイント情報格納部１１０６にポイントが蓄積される過程は問わない。例えば、一のユーザが、他のポイントシステム（例えばクレジットカード会社のカード）等で利用したポイントが、同じユーザのポイントとして、ポイント情報格納部１１０６に蓄積されるようにしてもよい。
【００４９】
受取コメント情報受信部１１０７は、確認用コメント送信部１１０５が送信したコメントのうちの、１以上の第二端末装置１３のユーザが受取るコメントを示す情報である１以上の受取コメント情報を第二端末装置１３から受信する。受け取られたコメントとは、例えば、第二端末装置１３のユーザにより受取りが指定されたコメントである。受取コメント情報は、受取られたコメント情報が判断可能な情報であればよく、受取コメント情報は、例えば、受取りが決定されたコメントのコメントＩＤであってもよい。また、受取りが決定されたコメント自身の情報であってもよい。また、確認用コメントに対応付けられているコメントＩＤと、受取られたコメントのコメントＩＤに付与されたフラグ等の情報との組み合わせであってもよい。あるいは、受取らないコメントを示す情報も、結果的に、これ以外のコメントを受取るコメントとして示すものであることから受取情報と考えるようにしても良い。なお、受取コメント情報には、受取られたコメントが特定できるように、少なくとも受取られたコメントのコメントＩＤが付与されているようにすることが好ましい。
【００５０】
なお、受取コメント情報受信部１１０７は、コメント格納部１１０４に格納されているコメントのうちのユーザが受取るコメントに対して、受取られたことを示す情報を対応付けて蓄積するようにしてもよい。例えば、上述したコメント管理情報に、更に、コメントの受取りの有無を示す受取情報を追加するようにしてもよい。受取情報は、例えば、フラグ情報と考えても良い。あるいは、受取られなかったコメント（あるいはコメント管理情報）は、削除するようにしても良い。
【００５１】
受取コメント情報受信部１１０７は、通常、無線または有線の通信手段で実現されるが、放送を受信する手段で実現されても良い。受取コメント情報受信部１１０７は、通信デバイスを含むと考えても、含まないと考えても良い。
【００５２】
ポイント管理部１１０８は、ポイント情報格納部１１０６に格納されているポイントのうちの、受取コメント情報を送信した第二端末装置１３のユーザのポイントから、受取コメント情報が示すコメントを送信した第一端末装置１２のユーザのポイントに、予め指定されたポイントを移動させる。ここでは結果としてポイントが移動していれば、ポイントを移動させたと考える。例えば移動元から指定されたポイントを削除し、移動先のポイントに指定されたポイントを加算する場合も移動と考える。予め指定されたポイントは、何ポイントであっても良い。また、この予め指定されたポイントは、一定であっても可変であっても良い。また、コメント数等を変数とした予め指定された演算式で決定される値であっても良い。また、予め指定されたポイントをコメント数で除算した値であっても良い。このポイントは、受取コメント情報を送信する第二端末装置１３のユーザによって個別に指定された値であっても良い。このポイントを指定する情報は、例えば、図示しない記憶媒体等に蓄積されている。
【００５３】
例えば、ポイント管理部１１０８は、コメント格納部１１０４に格納されている上述したコメント管理情報を用いて、受取コメント情報に含まれている受取られたコメントのコメントＩＤに対応する１以上のコメントユーザＩＤを取得する。
【００５４】
また、ポイント管理部１１０８は、コメント格納部１１０４に格納されているコメント管理情報を用いて、受取コメント情報に含まれている受取られたコメントのコメントＩＤに対応する閲覧関連情報ＩＤを取得し、さらに、閲覧関連情報格納部１１０１に格納されている閲覧関連管理情報を用いて、取得した閲覧関連情報ＩＤに対応する提供ユーザＩＤを取得する。
【００５５】
そして、ポイント管理部１１０８は、ポイント情報格納部１１０６に格納されているポイント管理情報において、上記で取得した提供ユーザＩＤに対応するポイントのうちの予め指定されたポイントを、上記で取得した各コメントユーザＩＤに対応するポイントにそれぞれ移動させる。これにより、ポイントの移動が完了する。
【００５６】
ポイント管理部１１０８は、通常、ＭＰＵやメモリ等から実現され得る。ポイント管理部１１０８の処理手順は、通常、ソフトウェアで実現され、当該ソフトウェアはＲＯＭ等の記録媒体に記録されている。但し、ハードウェア（専用回路）で実現しても良い。
【００５７】
コメント出力部１１０９は、第二端末装置１３から送信される受取コメント情報が対応するコメント、即ち第二端末装置１３が受取ったコメントを出力する。例えば、コメント出力部１１０９は、第二端末装置１３のユーザから、１以上の閲覧関連情報に対するコメントを出力する指示を受け付けた場合に、この１以上の閲覧関連情報に対応したコメントのうちの受取情報が受取られたことを示すコメントを、第二端末装置１３に送信する。また、例えば、コメント出力部１１０９は、第一端末装置１２から、この第一端末装置１２が表示している閲覧関連情報に対するコメントを要求する指示を受け付けた場合に、この閲覧関連情報に対応したコメントであって、受取コメント情報が受取られていることを示すコメントを、第一端末装置１２に送信する。また、例えば、コメント出力部１１０９は、閲覧関連情報送信部１１０２が閲覧関連情報を送信する際に、この閲覧関連情報に対応したコメントであって、受取コメント情報が受取られていることを示すコメントを、第一端末装置１２に送信しても良い。もしくは、このようなコメントを、閲覧関連情報送信部１１０２に出力し、閲覧関連情報送信部１１０２が、このコメントを閲覧関連情報とともに配列した情報を、第一端末装置１２に送信するようにしても良い。受取コメント情報が示すコメントを出力するとは、受取られていることを示す受取情報を含むコメント管理情報が示すコメントを出力することも含む概念である。
【００５８】
ここで述べるコメントの出力とは、ディスプレイへの表示、プロジェクターを用いた投影、プリンタへの印字、第一端末装置１２等の外部の装置への送信、記録媒体への蓄積、他の処理装置や他のプログラム等への処理結果の引渡し等を含む概念である。また、コメントの出力は、受取られたコメントに対応する閲覧関連情報の近傍に、あるいは近傍にリンクさせて、受取られたコメントを出力することであってもよい。
【００５９】
コメント出力部１１０９が、受取コメント情報が示すコメントを出力するタイミング等は問わない。例えば、第二端末装置１３から送信される受取コメント情報を受取コメント情報受信部１１０７が受信した場合に、コメントを出力してもよい。また、閲覧関連情報送信部１１０２が第一端末装置１２に閲覧関連情報を送信する際に、この送信する閲覧関連情報の閲覧関連情報ＩＤに対応したコメントを出力してもよい。例えば、送信する閲覧関連情報の閲覧関連情報ＩＤに対応したコメントを、コメント管理情報を用いてコメント格納部１１０４から読み出して、読み出したコメントを閲覧関連情報送信部１１０２に渡すことで、閲覧関連情報送信部１１０２が、閲覧関連情報に対して受取られたコメントを配置した閲覧関連情報を出力するようにしてもよい。
【００６０】
コメント出力部１１０９は、ディスプレイ等の出力デバイスを含むと考えても含まないと考えても良い。コメント出力部１１０９は、出力デバイスのドライバーソフトまたは、出力デバイスのドライバーソフトと出力デバイス等で実現され得る。
【００６１】
受取コメント関連情報取得部１１１０は、閲覧関連情報を提供するユーザが受取ったコメント数に関する情報である受取コメント関連情報を取得する。受取コメント関連情報取得部１１１０は、例えば、閲覧関連情報送信部１１０２が送信する閲覧関連情報を提供するユーザについて受取コメント関連情報取得する。
【００６２】
受取コメント関連情報は、例えば、閲覧関連情報を提供するユーザが、過去に自分が提供する閲覧関連情報について受信したコメントのうちの、受取ったコメント数である。受け取ったコメントとは、受取りを指定したコメントと考えても良い。また、受取コメント関連情報は、過去に自分が提供する閲覧関連情報について受信したコメント数と、受取りったコメント数とをそれぞれ示す情報である。あるいは、過去に自分が提供する閲覧関連情報について受信したコメント数に対する、受取ったコメント数の比率である。あるいは、これらのコメント数や比率を、値の範囲を示す情報を用いて、置き換えた情報であっても良い。例えば、コメント数の比率が、予め指定された比率よりも高い場合を「受取率高」、低い場合を「受取率低」等の情報に置き換えたものであってもよい。
【００６３】
受取コメント関連情報取得部１１１０は、どのように受取コメント関連情報を取得しても良い。例えば、１以上の第二端末装置１３の各ユーザに送信される確認用コメントの数と、同じ第二端末装置１３から送信される受取コメント情報が示す受取られたコメント数とを、順次、第二端末装置１３の各ユーザごとにカウントし、そのカウント結果を用いて、受取コメント関連情報を取得しても良い。
【００６４】
また、閲覧関連管理情報を用いて、一の提供ユーザＩＤと対応付けられた閲覧管理情報ＩＤの全てあるいは一部を取得して、この取得した閲覧管理情報ＩＤと対応付けられたコメントを、コメント管理情報を用いて検出し、検出したコメント数をカウントする。さらに、検出したコメントのうちの、受取情報が受取りを示すコメントを検出し、検出したコメント数をカウントする。そして、これらのカウント数から一の提供ユーザＩＤが示すユーザについての受取コメント関連情報を取得する。
【００６５】
また、受取コメント関連情報は、閲覧関連情報送信部１１０２が送信する閲覧関連情報を提供するユーザが受取ったコメント数に関する順位を示す情報である受取コメント順位情報を、少なくとも有するものであっても良い。受取コメント順位情報は、例えば、受けとったコメント数や比率の大小によって閲覧関連情報を提供するユーザを順位付けした情報である。受取コメント順位情報は、上位または下位の所定数の順位までのユーザだけを示す情報でもよい。受取コメント関連情報取得部１１１０が、どのように受取コメント順位情報を取得するかは問わない。例えば、閲覧関連管理情報に格納されている閲覧関連情報と対応付けられているユーザ別に、上記と同様に、過去に受取ったコメント数や、受信したコメント数に対する過去に受取ったコメント数の比率を取得する。そして取得した値を用いて、ユーザが受取ったコメント数に関する順位付けを行う。例えば、過去に受取ったコメント数または比率について、ユーザの順位付けを行う。このようにして得られた各ユーザの順位を示す情報が受取コメント順位情報である。なお、受信したコメント数が、予め指定された閾値よりも小さいユーザについては、有効な値が得られないことも考えられるため、順位の対象としないようにしても良い。
【００６６】
なお、受取コメント関連情報取得部１１１０は、予め指定された属性を有する閲覧関連情報を提供するユーザが受取ったコメント数に関する情報である受取コメント関連情報を取得するようにしてもよい。予め指定された属性とは、閲覧関連情報の含む文字列や、閲覧関連情報に対応付けられている属性を示す値等である。この指定は、例えばユーザにより適宜行われても良い。この指定に用いられる情報は、例えば検索キーと考えても良い。
【００６７】
例えば、閲覧関連情報格納部１１０１に格納されている閲覧関連情報に、この閲覧関連情報が示す情報のジャンルを示すジャンル情報が対応付けられている場合、ユーザ等により指定されたジャンルと対応付けられた閲覧関連情報に対応するコメントの数を、ユーザ別にカウントすることで、ジャンル別かつユーザ別の受取コメント関連情報を取得するようにしても良い。このような選択に利用されるジャンル等の情報は、閲覧関連管理情報が予め有するようにしても良い。
【００６８】
受取コメント関連情報取得部１１１０は、通常、ＭＰＵやメモリ等から実現され得る。受取コメント関連情報取得部１１１０の処理手順は、通常、ソフトウェアで実現され、当該ソフトウェアはＲＯＭ等の記録媒体に記録されている。但し、ハードウェア（専用回路）で実現しても良い。
【００６９】
送信コメント関連情報取得部１１１１は、閲覧関連情報を提供するユーザが送信したコメント数に関する情報である送信コメント関連情報を取得する。送信コメント関連情報取得部１１１１は、例えば、閲覧関連情報送信部１１０２が送信する閲覧関連情報を提供するユーザについて送信コメント関連情報を取得する。
【００７０】
送信コメント関連情報は、例えば、閲覧関連情報を提供するユーザが、過去に自分が投稿したコメントのうちの、受取られたコメント数である。受取られたコメントは、受取りが指定されたコメントと考えても良い。送信コメント関連情報は、過去に自分が投稿したコメント数と、受取られたコメント数とを示す情報であってもよい。あるいは、過去に自分が投稿したコメント数に対する、受取られたコメント数の比率である。あるいは、これらのコメント数や比率を、値の範囲を示す情報を用いて、置き換えた情報であっても良い。例えば、コメント数の比率が、予め指定された比率よりも高い場合を「受入率高」、低い場合を「受入率低」等の情報に置き換えたものであってもよい。投稿とは、例えば、一の閲覧関連情報に対してコメントを入力して、コメント管理サーバ装置１１に送信することである。
【００７１】
送信コメント関連情報取得部１１１１は、どのように送信コメント関連情報を取得しても良い。例えば、送信コメント関連情報取得部１１１１は、一の提供ユーザＩＤと一致するコメントユーザＩＤと対応付けられたコメントを、コメント管理情報を用いて検出し、検出したコメント数をカウントする。このコメント数が、一の提供ユーザＩＤが示すユーザが投稿したコメント数である。さらに、検出したコメントのうちの、受取情報が受取られたコメントであることを示すコメントを検出し、検出したコメント数をカウントする。このコメント数が、一の提供ユーザＩＤが示すユーザが投稿したコメント中の受取られたコメント数である。そして、これらのカウント数から一の提供ユーザＩＤが示すユーザの送信コメント関連情報を取得する。
【００７２】
また、送信コメント関連情報は、閲覧関連情報を提供するユーザが送信（投稿）したコメント数に関する順位を示す情報である送信コメント順位情報を、少なくとも有するものであっても良い。送信コメント順位情報は、例えば、受取られたコメント数や比率の大小によって閲覧関連情報を提供するユーザを順位付けした情報である。送信コメント順位情報は、上位または下位の所定数の順位までのユーザだけを示す情報でもよい。送信コメント関連情報取得部１１１１が、どのように送信コメント順位情報を取得するかは問わない。例えば、閲覧関連管理情報に格納されている閲覧関連情報と対応付けられているユーザ別に、コメントユーザ情報が一致するコメント数等をカウントすることで、上記と同様に、過去に送信したコメント数や、送信したコメント数に対する過去に受取られたコメント数の比率を取得する。そして取得した値を用いて、受取られたコメント数に関する順位付けを行う。例えば、過去に受取られたコメント数または比率について、ユーザの順位付けを行う。このようにして得られた各ユーザの順位を示す情報が送信コメント順位情報である。なお、受信したコメント数が、予め指定された閾値よりも小さいユーザについては、順位の対象としないようにしても良い。
【００７３】
なお、送信コメント関連情報取得部１１１１は、受取コメント関連情報取得部１１１０と同様に、予め指定された属性を有する閲覧関連情報を提供するユーザが受取られたコメント数に関する情報である送信コメント関連情報を取得するようにしてもよい。
【００７４】
例えば、閲覧関連情報格納部１１０１に格納されている閲覧関連情報に、この閲覧関連情報が示す情報のジャンルを示すジャンル情報が対応付けられている場合、ユーザ等により指定されたジャンルと対応付けられた閲覧関連情報に対応するコメントの数を、ユーザ別にカウントすることで、ジャンル別かつユーザ別の送信コメント関連情報を取得するようにしても良い。このような選択に利用されるジャンル等の情報は、閲覧関連管理情報が予め有するようにしても良い。
【００７５】
送信コメント関連情報取得部１１１１は、通常、無線または有線の通信手段で実現されるが、放送手段で実現されても良い。送信コメント関連情報取得部１１１１は、通信デバイスを含むと考えても、含まないと考えても良い。
【００７６】
確認用コメント関連情報取得部１１１２は、確認用コメント送信部１１０５が送信するコメントを入力したユーザが入力したコメント数に関する情報である確認用コメント関連情報を取得する。
【００７７】
確認用コメント関連情報は、例えば、確認用コメントとなるコメントを投稿したユーザが、過去に投稿したコメントのうちの、受取られたコメント数である。また、確認用コメント関連情報は、過去に投稿したコメント数と、受取られたコメント数とを示す情報であってもよい。あるいは、過去に投稿したコメント数に対する、受取られたコメント数の比率である。あるいは、これらのコメント数や比率を、値の範囲を示す情報を用いて、置き換えた情報であっても良い。例えば、コメント数の比率が、予め指定された比率よりも高い場合を「受入率高」、低い場合を「受入率低」等の情報に置き換えたものであってもよい。
【００７８】
確認用コメント関連情報取得部１１１２は、どのように確認用コメント関連情報を取得しても良い。例えば、確認用コメント関連情報取得部１１１２は、一の確認用コメントに対応付けられたコメントＩＤと、一致するコメントＩＤと対応付けられたコメントユーザＩＤを、コメント管理情報から検出し、この検出したコメントユーザＩＤと一致するコメントユーザＩＤと対応付けられたコメントを、コメント管理情報を用いて検出する。そして、検出したコメントの数をカウントする。このコメント数が、一の確認用コメントを投稿したユーザが過去に投稿したコメント数である。さらに、検出したコメントのうちの、受取りを示す受取情報と対応付けられたコメントを検出し、検出したコメント数をカウントする。このコメント数が、一の確認用コメントを投稿したユーザが投稿したコメント中の受取られたコメント数である。そして、これらのカウント数から一の確認用コメント情報を投稿したユーザの確認用コメント関連情報を取得する。
【００７９】
確認用コメント関連情報取得部１１１２は、通常、ＭＰＵやメモリ等から実現され得る。確認用コメント関連情報取得部１１１２の処理手順は、通常、ソフトウェアで実現され、当該ソフトウェアはＲＯＭ等の記録媒体に記録されている。但し、ハードウェア（専用回路）で実現しても良い。
【００８０】
なお、確認用コメント関連情報取得部１１１２が取得する確認用コメント関連情報は、受取コメント関連情報取得部１１１０が取得する受取コメント関連情報と同様の情報であるので、確認用コメント関連情報取得部１１１２の動作を受取コメント関連情報取得部１１１０に実現させるようにしたうえで、確認用コメント関連情報取得部１１１２を省略しても良い。
【００８１】
ユーザ情報格納部１１１３は、ユーザＩＤとユーザの個人情報を有するユーザ情報管理情報が格納される。このユーザＩＤは、第一端末装置１２や第二端末装置１３のユーザの識別情報である。コメント管理サーバ装置１１でコメントの管理を行うユーザのユーザＩＤと考えても良い。ユーザの個人情報は、ユーザの氏名や、連絡先や、住所等の情報である。コメント管理サーバ装置１１に会員登録する際に入力する個人の情報と考えても良い。
【００８２】
ユーザ情報格納部１１１３は、不揮発性の記録媒体が好適であるが、揮発性の記録媒体でも実現可能である。
【００８３】
ユーザ状況管理情報格納部１１１４には、第二端末装置１３のユーザの受取コメント関連情報および送信コメント関連情報が格納される。例えば、受取コメント関連情報取得部１１１０および送信コメント関連情報取得部１１１１が、それぞれ取得した受取コメント関連情報および送信コメント関連情報を、ユーザ状況管理情報格納部１１１４に蓄積する。ユーザ状況管理情報格納部１１１４には、例えば、ユーザＩＤと、受取コメント関連情報と、送信コメント関連情報とを有するユーザ状況管理情報が格納される。なお、確認用コメント関連情報取得部１１１２は、ユーザ状況管理情報格納部１１１４に格納されている送信コメント関連情報を適宜取得するようにしてもよい。
【００８４】
ユーザ状況管理情報格納部１１１４は、不揮発性の記録媒体が好適であるが、揮発性の記録媒体でも実現可能である。
【００８５】
なお、コメント管理サーバ装置１１は、第二端末装置１３から送信される閲覧関連情報を受信して、閲覧関連情報格納部１１０１に蓄積する受信処理部（図示せず）を備えていてもよい。例えば、受信処理部は、提供ユーザＩＤと対応付けて送信されてきた閲覧関連情報を受信し、受信した閲覧関連情報を、受信した提供ユーザＩＤと対応付けて蓄積する。受信処理部は通信手段と蓄積する処理を行うためのＭＰＵやメモリ等で実現される。
【００８６】
第一端末装置１２は、例えば、コメント管理サーバ装置１１から送信される閲覧関連情報を閲覧し、閲覧した閲覧関連情報に対するユーザのコメントを受け付ける装置である。例えば、第一端末装置１２は、コンピュータや、携帯電話や、携帯情報端末等で実現可能である。
【００８７】
第一受信部１２０１は、コメント管理サーバ装置１１から送信される１以上の閲覧関連情報を受信する。第一受信部１２０１は、例えば、閲覧関連情報ＩＤや提供ユーザＩＤと対応付けられた閲覧関連情報を受信する。第一受信部１２０１が受信する閲覧関連情報は、上述したような成形済の閲覧関連情報であっても良い。例えば、第一受信部１２０１のユーザが、図示しない閲覧指示を受け付ける閲覧指示受付部等に１以上の閲覧関連情報の閲覧を要求する情報を入力した場合に、閲覧関連情報を要求する情報がコメント管理サーバ装置１１に送信される。そして、コメント管理サーバ装置１１の閲覧関連情報送信部１１０２が、この要求に応じて送信する閲覧関連情報を、第一受信部１２０１が受信する。
【００８８】
また、第一受信部１２０１は、受取コメント関連情報を更に受信してもよい。例えば、第一受信部１２０１は、この第一受信部１２０１が受信した閲覧関連情報を提供するユーザについての受取コメント関連情報を受信する。第一受信部１２０１は、受取コメント順位情報を少なくとも含む受取コメント関連情報を受信してもよい。
【００８９】
また、第一受信部１２０１は、送信コメント関連情報を更に受信してもよい。例えば、第一受信部１２０１は、この第一受信部１２０１が受信した閲覧関連情報を提供するユーザについての送信コメント関連情報を受信する。また、第一受信部１２０１は、送信コメント順位情報を少なくとも含む送信コメント関連情報を受信してもよい。
【００９０】
第一受信部１２０１は、通常、無線または有線の通信手段で実現されるが、放送を受信する手段で実現されても良い。第一受信部１２０１は、通信デバイスを含むと考えても、含まないと考えても良い。
【００９１】
第一表示部１２０２は、第一受信部１２０１が受信した閲覧関連情報を表示する。また、第一表示部１２０２は、受取コメント関連情報を更に表示してもよい。また、第一表示部１２０２は、受取コメント順位情報を少なくとも含む受取コメント関連情報を表示してもよい。
【００９２】
なお、第一表示部１２０２は、後述するコメント受付部１２０３に対して１文字以上の予め指定された文字数以上のコメントを入力した際に、受取コメント関連情報を表示するようにしてもよい。この場合、例えば、コメント受付部１２０３が１文字以上のコメントを受け付けたことをトリガーとして、第一端末装置１２の図示しない送信部が、当該コメントの対象となった閲覧関連情報を提供するユーザについての受取コメント関連情報を要求する情報を、コメント管理サーバ装置１１に送信して、これに応じてコメント管理サーバ装置１１で取得されて送信される受取コメント関連情報を、第一受信部１２０１が受信して、第一表示部１２０２で表示するようにしてもよい。受取コメント関連情報を要求する情報は、例えば、コメントの対象となる閲覧関連情報の識別情報、もしくは閲覧関連情報を提供するユーザの提供ユーザＩＤを含む情報であり、コメント管理サーバ装置１１では、この情報で特定される閲覧関連情報を提供するユーザの受取コメント関連情報が取得される。なお、ユーザＩＤが示すユーザの受取コメント関連情報を取得する処理は上記と同様であるので、ここでは詳細な説明は省略する。また、予め、第一受信部１２０１が受信する閲覧関連情報に対応した受取コメント関連情報を受信しておくようにし、予め指定された文字数以上のコメントが入力された場合に、この受取コメント関連情報を読み出して出力するようにしても良い。閲覧関連情報を提供するユーザについての受取コメント関連情報を要求する情報は、例えば閲覧関連情報に対応付けられている提供ユーザＩＤや、閲覧関連情報ＩＤを含む情報である。このような情報があれば、この閲覧関連情報を提供したユーザの受取コメント関連情報を、コメント管理サーバ装置１１において取得可能である。
【００９３】
また、第一表示部１２０２は、送信コメント関連情報を更に表示してもよい。また、第一表示部１２０２は、送信コメント順位情報を少なくとも含む送信コメント関連情報を表示してもよい。なお、この送信コメント関連情報についても、受取コメント関連情報と同様に、後述するコメント受付部１２０３に対して１文字以上の予め指定された文字数以上のコメントを入力した際に、表示するようにしてもよい。
【００９４】
なお、受取コメント関連情報や送信コメント関連情報は、閲覧関連情報の表示と同時に表示されても良い。この場合、例えば、コメント管理サーバ装置１１が、これらの受取コメント関連情報や送信コメント関連情報を閲覧関連情報とともに配置した情報を構成して送信するようにしても良いし、第一表示部１２０２が受取コメント関連情報や送信コメント関連情報を閲覧関連情報とともに配置した情報を構成して表示しても良い。
【００９５】
第一表示部１２０２は、ディスプレイデバイスを含むと考えても含まないと考えても良い。第一表示部１２０２は、ディスプレイデバイスのドライバーソフトまたは、ディスプレイデバイスのドライバーソフトとディスプレイデバイス等で実現され得る。
【００９６】
コメント受付部１２０３は、閲覧関連情報に対してユーザが入力したコメントを受け付ける。コメント受付部１２０３は、例えば、第一表示部１２０２が表示する閲覧関連情報に対して個別にコメントを受け付ける。コメント受付部１２０３が受け付けるコメントはテキストや画像、音声等の情報である。また、コメント受付部１２０３は、コメントを入力するユーザのユーザＩＤをコメントユーザＩＤとして受け付ける。ただし、このコメントユーザＩＤとして、第一端末装置１２に対してログイン等を行う際に入力したユーザＩＤをコメント受付部１２０３が取得してもよく、この場合、コメント入力時のユーザＩＤの入力は省略可能である。
【００９７】
受け付けとは、キーボードやマウス、タッチパネルなどの入力デバイスから入力された情報の受け付け、有線もしくは無線の通信回線を介して送信された情報の受信、磁気ディスク、半導体メモリなどの記録媒体から読み出された情報の受け付けなどを含む概念である。
【００９８】
コメントの入力手段は、テンキーやキーボードやマウスやメニュー画面によるもの等、何でも良い。コメント受付部１２０３は、テンキーやキーボード等の入力手段のデバイスドライバーや、メニュー画面の制御ソフトウェア等で実現され得る。
【００９９】
コメント送信部１２０４は、コメント受付部１２０３が受け付けたコメントをコメント管理サーバ装置１１に送信する。コメント送信部１２０４は、例えば、受け付けたコメントと、このコメントの対象となる閲覧関連情報の閲覧関連情報ＩＤと、コメントユーザＩＤとを対応付けて、コメント管理サーバ装置１１に送信する。なお、更に、提供ユーザＩＤを対応付けて送信しても良い。
【０１００】
コメント送信部１２０４は、通常、無線または有線の通信手段で実現されるが、放送手段で実現されても良い。コメント送信部１２０４は、通信デバイスを含むと考えても、含まないと考えても良い。
【０１０１】
第二端末装置１３は、例えば、コメント管理サーバ装置１１から送信される確認用コメントを表示し、このコメントのうちのユーザが受取るコメントの指定を受け付ける装置である。第二端末装置１３は、例えば、閲覧関連情報を提供するユーザが利用する装置である。具体例を挙げると、掲示板やブログやミニブログのＷＥＢページを管理するユーザの装置である。例えば、第二端末装置１３は、コンピュータや、携帯電話や、携帯情報端末等で実現可能である。
【０１０２】
なお、上述したように、第一端末装置１２と第二端末装置１３とを一の通信端末装置で実現するようにすることで、閲覧関連情報を提供するユーザが、他のユーザの閲覧関連情報に対するコメントも入力できるようにしても良い。
【０１０３】
確認用コメント受信部１３０１は、コメント管理サーバ装置１１が送信するコメント（即ち確認用コメント）を受信する。確認用コメント受信部１３０１は、例えば、コメントと、このコメントと対応付けられて送信されるコメントＩＤとを受信する。確認用コメント受信部１３０１は、どのようなタイミングで確認用コメントを受信してもよい。例えば、第二端末装置１３の図示しない受付部等がユーザから確認用コメントを受信する指示を受け付けた場合や予め指定されたタイミング等に、未確認である確認用コメントの送信を要求する情報を、図示しない送信部がコメント管理サーバ装置１１に送信する。コメント管理サーバ装置１１の図示しない受付部が確認用コメントを要求する情報を受け付けると、この情報に応じて、確認用コメント送信部１１０５が確認用コメントを第二端末装置１３に送信する。そして、この確認用コメントを、確認用コメント受信部１３０１が受信しても良い。あるいは、確認用コメント受信部１３０１は、常時、確認用コメント送信部１１０５から送信される確認用コメントを受信するようにしても良い。
【０１０４】
確認用コメント受信部１３０１は、更に、受信したコメントを入力したユーザについての確認用コメント関連情報を受信してもよい。例えば、確認用コメント受信部１３０１は、後述する指定指示受付部１３０５が受け付けた指定指示が示すコメントを入力したユーザについての確認用コメント関連情報を受信しても良い。例えば、指定指示受付部１３０５が指定指示を受け付けた場合に、この指定指示に対応したコメントのコメントＩＤをコメント管理サーバ装置１１に送信すること等により、指定指示に対応したコメントを入力したユーザについての確認用コメント関連情報の送信を、図示しない送信部等からコメント管理サーバ装置１１に要求して、この要求に応じてコメント管理サーバ装置１１から送信される確認用コメント関連情報を受信しても良い。ただし、コメントと同時にコメント管理サーバ装置１１から送信される確認用コメント関連情報を受信しても良い。
【０１０５】
確認用コメント受信部１３０１は、通常、無線または有線の通信手段で実現されるが、放送を受信する手段で実現されても良い。確認用コメント受信部１３０１は、通信デバイスを含むと考えても、含まないと考えても良い。
【０１０６】
第二表示部１３０２は、確認用コメント受信部１３０１が受信したコメントを表示する。また、確認用コメント受信部１３０１が受信した確認用コメント関連情報を、対応するコメントと対応付けて更に表示しても良い。例えば、第二表示部１３０２は、指定指示により指定されたコメントに対応した確認用コメント関連情報を更に表示するようにしても良い。コメントに対応した確認用コメント関連情報とは、コメントを入力したユーザについての確認用コメント関連情報である。コメントを入力したユーザは、コメントＩＤと対応付けられたコメントユーザＩＤが示すユーザである。なお、上述したように、予め、確認用コメントと同時に確認用コメント関連情報を受信している場合は、受信した確認用コメント関連情報の中から、指定指示で指定されたコメントに対応するものを取得して表示すればよい。また、指定指示を受け付けた場合に、指定されたコメントについての確認用コメント関連情報の送信を要求する場合、この要求に応じてコメント管理サーバ装置１１から送信される確認用コメント関連情報を表示すればよい。なお、第二表示部１３０２は、確認用コメントのうちの一部だけを表示するようにしても良い。例えば、確認用コメント受信部１３０１が受信した確認用コメントの先頭の予め指定された文字数の文字列だけを表示しても良い。このようにすることで、ユーザが受け取らなかったコメントについては、コメントの全てを、ユーザには見せないようにすることができる。
【０１０７】
第二表示部１３０２は、ディスプレイデバイスを含むと考えても含まないと考えても良い。第二表示部１３０２は、ディスプレイデバイスのドライバーソフトまたは、ディスプレイデバイスのドライバーソフトとディスプレイデバイス等で実現され得る。
【０１０８】
受取コメント受付部１３０３は、確認用コメント受信部１３０１が受信したコメントのうちの、ユーザが受取るコメントの指定を受け付ける。コメントを受信するということは、ここでは、例えば、送信されてくるコメントを単に受け取ることである。これに対し、コメントを受取るということは、ここでは、ユーザが欲求するコメントや、ユーザの意図や目的に合ったコメントを、受信したコメント等の中から選択的に取得することである。例えば、ユーザの提供するＷＥＢページ等への掲載を決定したコメントを取得することである。コメントを受け取るとは、ユーザが欲求するコメントを採用することと考えても良い。また、コメントを受取るとは、ユーザがその後に利用可能なコメントを選択的に取得することと考えても良い。
【０１０９】
受取コメント受付部１３０３がどのようにユーザが受取るコメントの指定を受け付けても良い。例えば、第二表示部１３０２により表示されているコメントを選択することで、選択されたコメントについての指定を受け付ける。なお、受取コメント受付部１３０３は、ユーザが受け取らないコメントの指定を受け付けても良い。
【０１１０】
入力手段は、テンキーやキーボードやマウスやメニュー画面によるもの等、何でも良い。受取コメント受付部１３０３は、テンキーやキーボード等の入力手段のデバイスドライバーや、メニュー画面の制御ソフトウェア等で実現され得る。
【０１１１】
受取コメント情報送信部１３０４は、受取コメント受付部１３０３が指定を受け付けたコメントを示す受取コメント情報を、コメント管理サーバ装置１１に送信する。受取コメント情報は、例えば、受取られたコメントのコメントＩＤを有する情報である。例えば、受取コメント情報送信部１３０４は、受取コメント受付部１３０３が指定を受け付けた確認用コメントに対応付けられたコメントＩＤを取得し、取得したコメントＩＤを有する受取コメント情報を取得して、コメント管理サーバ装置１１に送信する。なお、受取コメント情報は、ユーザが受け取らないコメントを示す情報、例えばコメントＩＤ等を更に有していても良い。受取コメント情報は、確認用コメント情報に含まれるコメントＩＤと、各コメントが受取るコメントに指定されたものであるか、否かを示す情報（例えばフラグ等）とを組み合わせて有する情報であっても良い。
【０１１２】
受取コメント情報送信部１３０４は、通常、無線または有線の通信手段で実現される受取コメント情報送信部１３０４は、通信デバイスを含むと考えても、含まないと考えても良い。
【０１１３】
指定指示受付部１３０５は、確認用コメントの１以上を指定する指定指示を受け付ける。指定指示受付部１３０５は、例えば、第二表示部１３０２で表示されているコメントの一つを選択することで、選択されたコメントについての指定を受け付ける。指定指示の入力手段は、テンキーやキーボードやマウスやメニュー画面によるもの等、何でも良い。指定指示受付部１３０５は、テンキーやキーボード等の入力手段のデバイスドライバーや、メニュー画面の制御ソフトウェア等で実現され得る。
【０１１４】
なお、第二端末装置１３は、コメント管理サーバ装置１１に新たに蓄積するための閲覧関連情報を受け付ける閲覧関連情報受付部（図示せず）を備えていてもよい。また、この閲覧関連情報受付部は、既にコメント管理サーバ装置１１に格納されている閲覧関連情報を削除したり更新したりするための指示を受け付けても良い。閲覧関連情報の入力手段は、テンキーやキーボードやマウスやメニュー画面によるもの等、何でも良い。
【０１１５】
また、第二端末装置１３は、閲覧関連情報受付部が受け付けた閲覧関連情報を、コメント管理サーバ装置１１に送信する送信部を備えていてもよい。送信部１３０７は、例えば、閲覧関連情報を入力したユーザのユーザＩＤである提供ユーザＩＤと対応付けて、閲覧関連情報を送信する。
【０１１６】
図２は、コメント管理システム１のコメント管理サーバ装置１１の動作を示すフローチャートである。以下、図２を用いて動作について説明する。
【０１１７】
（ステップＳ２０１）コメント管理サーバ装置１１は、１以上の閲覧関連情報の送信を要求する情報を第一端末装置１２から受け付けたか否かを判断する。受け付けた場合、ステップＳ２０２に進み、受け付けていない場合、ステップＳ２０７に進む。
【０１１８】
（ステップＳ２０２）閲覧関連情報送信部１１０２は、ステップＳ２０１で受け付けた要求が指定する閲覧関連情報とこれに対応した閲覧関連情報ＩＤを閲覧関連情報格納部１１０１から読み出す。
【０１１９】
（ステップＳ２０３）受取コメント関連情報取得部１１１０は、コメント格納部１１０４に格納されているコメントを用いて、ステップＳ２０２で読み出した閲覧関連情報を提供するユーザについて、受取コメント関連情報を取得する。
【０１２０】
（ステップＳ２０４）送信コメント関連情報取得部１１１１は、コメント格納部１１０４に格納されているコメントを用いて、ステップＳ２０２で読み出した閲覧関連情報を提供するユーザについて、送信コメント関連情報を取得する。
【０１２１】
（ステップＳ２０５）閲覧関連情報送信部１１０２は、ステップＳ２０２からステップＳ２０４で取得した閲覧関連情報と受取コメント関連情報と送信コメント関連情報を、予め用意されたテンプレートに配置する。なお、閲覧関連情報ＩＤは、各閲覧関連情報と対応付けてテンプレートに配置しても良いし、各閲覧関連情報と対応付けて不可視の情報となるように埋め込んでも良い。
【０１２２】
（ステップＳ２０６）閲覧関連情報送信部１１０２は、ステップＳ２０５でテンプレートに配置して取得した情報を、第一端末装置１２に送信する。そして、ステップＳ２０１に戻る。
【０１２３】
（ステップＳ２０７）コメント受信部１１０３は、第一端末装置１２から送信されるコメントを受信したか否かを判断する。受信した場合、ステップＳ２０８に進み、受信していない場合、ステップＳ２０９に進む。
【０１２４】
（ステップＳ２０８）コメント受信部１１０３は、受信したコメントをコメント格納部１１０４に蓄積する。なお、蓄積する際、例えば、蓄積されるコメントが、ユーザによる受取りの判断が未だなされていないコメントであることを示す受取判断情報をコメント管理情報に蓄積する。
【０１２５】
（ステップＳ２０９）コメント管理サーバ装置１１は、第二端末装置１３から確認用コメントの送信の要求があったか否かを判断する。要求があった場合、ステップＳ２１０に進み、なかった場合、ステップＳ２１１に進む。
【０１２６】
（ステップＳ２１０）確認用コメント送信部１１０５は、第二端末装置１３に、確認用コメントを送信する。例えば、確認用コメント送信部１１０５は、コメント格納部１１０４から、第二端末装置１３のユーザが提供する閲覧関連情報についてのコメントであって、受取判断情報の値が、ユーザによる受取りの判断が終了していないことを示すコメントを読み出して、第二端末装置１３に送信する。そして、ステップＳ２０１に戻る。
【０１２７】
（ステップＳ２１１）受取コメント関連情報取得部１１１０は、受取コメント順位情報を要求する情報を受け付けたか否かを判断する。受け付けた場合、ステップＳ２１２に進み、受け付けていない場合、ステップＳ２１４に進む。
【０１２８】
（ステップＳ２１２）受取コメント関連情報取得部１１１０は、受取コメント順位情報を取得する。例えば、受取コメント関連情報取得部１１１０は、予め指定された属性のユーザについてのみ、受取コメント順位情報を取得してもよい。
【０１２９】
（ステップＳ２１３）閲覧関連情報送信部１１０２は、ステップＳ２１２で取得した受取コメント順位情報を、受取コメント順位情報を要求した第一端末装置１２に送信する。そして、ステップＳ２０１に戻る。
【０１３０】
（ステップＳ２１４）送信コメント関連情報取得部１１１１は、送信コメント順位情報を要求する情報を受け付けたか否かを判断する。受け付けた場合、ステップＳ２１５に進み、受け付けていない場合、ステップＳ２１７に進む。
【０１３１】
（ステップＳ２１５）送信コメント関連情報取得部１１１１は、送信コメント順位情報を取得する。例えば、送信コメント関連情報取得部１１１１は、予め指定された属性のユーザについてのみ、送信コメント順位情報を取得してもよい。
【０１３２】
（ステップＳ２１６）閲覧関連情報送信部１１０２は、ステップＳ２１５で取得した送信コメント順位情報を、送信コメント順位情報を要求した第一端末装置１２に送信する。そして、ステップＳ２０１に戻る。
【０１３３】
（ステップＳ２１７）受取コメント情報受信部１１０７は、受取コメント情報を受信したか否かを判断する。受信した場合、ステップＳ２１８に進み、受信していない場合、ステップＳ２２３に進む。
【０１３４】
（ステップＳ２１８）受取コメント情報受信部１１０７は、コメント管理情報を更新する。具体的には、ステップＳ２１０で確認用コメントとして送信されたコメントのコメント管理情報の受取判断情報を、ユーザによる受取の判断が終了していることを示す値に更新する。また、ステップＳ２１７で受信した受取コメント情報が示す受取られたコメントのコメント管理情報の受取情報を、受取られたコメントであることを示す値に更新する。同様に、受け取られなかったコメントのコメント管理情報の受け取り情報を、受け取られなかったことを示す値に更新する。
【０１３５】
（ステップＳ２１９）ポイント管理部１１０８は、カウンターｎに１を代入する。
【０１３６】
（ステップＳ２２０）ポイント管理部１１０８は、ステップＳ２１８で受信した受取コメント情報が示す受取られたコメントの中に、ｎ番目のコメントがあるか否かを判断する。ある場合、ステップＳ２２１に進み、ない場合、ステップＳ２０１に戻る。
【０１３７】
（ステップＳ２２１）ポイント管理部１１０８は、ポイント情報格納部１１０６に格納されているポイントのうちの、受取コメント情報が示すコメントの投稿対象となる閲覧関連情報を提供するユーザのポイントから、受取コメント情報が示す受取られたｎ番目のコメントを投稿したユーザのポイントに、予め指定されたポイントを移動させる。
【０１３８】
（ステップＳ２２２）ポイント管理部１１０８は、カウンターｎの値を一インクリメントする。そして、ステップＳ２２０に戻る。
【０１３９】
（ステップＳ２２３）コメント管理サーバ装置１１は、コメントの出力指示を受信したか否かを判断する。コメントの出力指示は、第一端末装置１２や第二端末装置１３等のどのような装置から受信しても良い。また、コメントの出力指示はどのような指示であっても良く、例えば、一のユーザの提供する閲覧関連情報に対応するコメントを出力する指示であっても良いし、一の閲覧関連情報に対応したコメントを出力する指示であっても良い。受信した場合、ステップＳ２２４に進み、受信していない場合、ステップＳ２２５に進む。
【０１４０】
（ステップＳ２２４）コメント出力部２１９は、ステップＳ２２３で受信したコメントの出力指示が示すコメントであって、受取コメント情報が受取られたコメントであることを示す値であるコメントを出力する。そして、ステップＳ２０１に戻る。
【０１４１】
（ステップＳ２２５）コメント管理サーバ装置１１は、確認用コメント関連情報の送信を要求する情報を受け付けたか否かを判断する。受け付けた場合、ステップＳ２２６に進み、受け付けていない場合、ステップＳ２０１に戻る。
【０１４２】
（ステップＳ２２６）確認用コメント関連情報取得部１１１２は、確認用コメント関連情報を取得する。
【０１４３】
（ステップＳ２２７）閲覧関連情報送信部１１０２は、ステップＳ２２６で取得した確認用コメント関連情報を第一端末装置１２に送信する。そして、ステップＳ２０１に戻る。
【０１４４】
なお、図２においては説明を省略したが、コメント管理サーバ装置１１が、閲覧関連情報を受け付けたか否かを判断し、受け付けた場合に、この閲覧関連情報を閲覧関連情報格納部１１０１に蓄積する処理ステップを含むようにしてもよい。また、この場合、例えば、コメント管理サーバ装置１１が受信した閲覧関連情報に付与されている閲覧関連情報を入力したユーザのユーザＩＤは、提供ユーザＩＤとして、閲覧関連情報と対応づけて、閲覧関連情報格納部１１０１に蓄積する。
【０１４５】
なお、図２のフローチャートにおいて、電源オフや処理終了の割り込みにより処理は終了する。
【０１４６】
図３は、コメント管理システム１の第二端末装置１３の動作を示すフローチャートである。以下、図３を用いて動作について説明する。
【０１４７】
（ステップＳ３０１）第一端末装置１２は、閲覧関連情報の要求を受け付けたか否かを判断する。受け付けた場合、ステップＳ３０２に進み、受け付けていない場合、ステップＳ３０１に戻る。
【０１４８】
（ステップＳ３０２）第一端末装置１２は、閲覧関連情報を要求する情報を、コメント管理サーバ装置１１に送信する。
【０１４９】
（ステップＳ３０３）第一受信部１２０１は、閲覧関連情報を受信したか否かを判断する。受信した場合、ステップＳ３０４に進み、受信していない場合、ステップＳ３０３に戻る。
【０１５０】
（ステップＳ３０４）第一受信部１２０１は、受取コメント関連情報を受信したか否かを判断する。受信した場合、ステップＳ３０５に進み、受信していない場合、ステップＳ３０４に戻る。
【０１５１】
（ステップＳ３０５）第一受信部１２０１は、送信コメント関連情報を受信したか否かを判断する。受信した場合、ステップＳ３０６に進み、受信していない場合、ステップＳ３０５に戻る。
【０１５２】
（ステップＳ３０６）第一表示部１２０２は、ステップＳ３０３からステップＳ３０５で受信した閲覧関連情報と、受取コメント管理情報と、送信コメント管理情報とを表示する。そして、ステップＳ３０１に戻る。なお、既に何らかの情報が表示されている場合、表示を更新する。
【０１５３】
（ステップＳ３０７）コメント受付部１２０３は、第一表示部１２０２が表示している一の閲覧関連情報に対するコメントを受け付けたか否かを判断する。受け付けた場合、ステップＳ３０８に進み、受け付けていない場合、ステップＳ３０９に進む。
【０１５４】
（ステップＳ３０８）コメント送信部１２０４は、ステップＳ３０７で受け付けたコメントをコメント管理サーバ装置１１に送信する。そして、ステップＳ３０１に戻る。
【０１５５】
（ステップＳ３０９）第一端末装置１２は、受取コメント順位情報の要求を受け付けたか否かを判断する。受け付けた場合、ステップＳ３１０に進み、受け付けていない場合、ステップＳ３１３に進む。
【０１５６】
（ステップＳ３１０）第一端末装置１２は、受取コメント順位情報を要求する情報を、コメント管理サーバ装置１１に送信する。
【０１５７】
（ステップＳ３１１）第一受信部１２０１は、受取コメント順位情報を受信したか否かを判断する。受信した場合、ステップＳ３１２に進み、受信していない場合、ステップＳ３１１に戻る。
【０１５８】
（ステップＳ３１２）第一表示部１２０２は、ステップＳ３１１で受信した受取コメント順位情報を表示する。そして、ステップＳ３０１に戻る。
【０１５９】
（ステップＳ３１３）第一端末装置１２は、送信コメント順位情報の要求を受け付けたか否かを判断する。受け付けた場合、ステップＳ３１４に進み、受け付けていない場合、ステップＳ３０１に進む。
【０１６０】
（ステップＳ３１４）第一端末装置１２は、送信コメント順位情報を要求する情報を、コメント管理サーバ装置１１に送信する。
【０１６１】
（ステップＳ３１５）第一受信部１２０１は、送信コメント順位情報を受信したか否かを判断する。受信した場合、ステップＳ３１６に進み、受信していない場合、ステップＳ３１５に戻る。
【０１６２】
（ステップＳ３１６）第一表示部１２０２は、ステップＳ３１５で受信した送信コメント順位情報を表示する。そして、ステップＳ３０１に戻る。
なお、上記のフローチャートにおいて、ステップＳ３０３からステップＳ３０５の処理において、第一受信部１２０１が、閲覧関連情報、受取コメント関連情報、および送信コメント関連情報を受信したか否かの判断処理を行うようにしたが、これらのステップの代わりに、例えば、閲覧関連情報を少なくとも含む情報を受信したか否かを判断し、受信した場合に、ステップＳ３０６に進むようにしてもよい。あるいは、閲覧関連情報と、閲覧関連情報や受取コメント関連情報がＷＥＢページ等に配置されて送信されてくる場合等には、このＷＥＢページの情報を受信したか否かを判断するようにしてもよい。
【０１６３】
なお、図３のフローチャートにおいて、表示された閲覧関連情報等の情報の表示は、ユーザ等の指示に応じて、適宜、終了する。
【０１６４】
なお、図３のフローチャートにおいて、電源オフや処理終了の割り込みにより処理は終了する。
【０１６５】
図４は、コメント管理システム１の第二端末装置１３の動作を示すフローチャートである。以下、図４を用いて動作について説明する。
【０１６６】
（ステップＳ４０１）第二端末装置１３は、確認用コメントの要求を受け付けたか否かを判断する。受け付けた場合、ステップＳ４０２に進み、受け付けていない場合、ステップＳ４１３に進む。
【０１６７】
（ステップＳ４０２）第二端末装置１３は、第二端末装置１３のユーザの確認用コメントを要求する情報を送信する。
【０１６８】
（ステップＳ４０３）確認用コメント受信部１３０１は、確認用コメントを受信したか否かを判断する。受信した場合、ステップＳ４０４に進み、受信していない場合、ステップＳ４０３に戻る。
【０１６９】
（ステップＳ４０４）第二表示部１３０２は、ステップＳ４０３で受信した確認用コメントを表示する。
【０１７０】
（ステップＳ４０５）受取コメント受付部１３０３は、ステップＳ４０４で表示した確認用コメントについて、ユーザが受取るコメントの指定を受け付けたか否かを判断する。受け付けた場合、ステップＳ４０６に進み、受け付けていない場合、ステップＳ４０８に進む。
【０１７１】
（ステップＳ４０６）受取コメント情報送信部１３０４は、ステップＳ４０５で指定されたコメントを、ユーザが受取ったコメントとして示す受取コメント情報を、コメント管理サーバ装置１１に送信する。
【０１７２】
（ステップＳ４０７）第二表示部１３０２は、確認用コメントの表示を終了する。そして、ステップＳ４０１に戻る。
【０１７３】
（ステップＳ４０８）指定指示受付部１３０２は、第二表示部１３０２が表示している確認用コメントの一つに対する指定指示を受け付けたか否かを判断する。受け付けた場合、ステップＳ４０９に進み、受け付けていない場合、ステップＳ４０５に戻る。
【０１７４】
（ステップＳ４０９）第二端末装置１３は、ステップＳ４０９で指定された確認用コメントについての確認用コメント関連情報を要求する情報を、コメント管理サーバ装置１１に送信する。
【０１７５】
（ステップＳ４１０）確認用コメント受信部１３０１は、確認用コメント関連情報を受信したか否かを判断する。受信した場合、ステップＳ４１１に進み、受信していない場合、ステップＳ４１０に戻る。
【０１７６】
（ステップＳ４１１）第二表示部１３０２は、確認用コメント関連情報を表示する。
【０１７７】
（ステップＳ４１２）第二表示部１３０２は、確認用コメント関連情報の表示を終了するか否かを判断する。例えば、表示終了の指示を第二端末装置１３が受け付けた場合に表示を終了すると判断してもよいし、指定指示の受付が終了した場合に、表示を終了すると判断してもよい。表示終了の場合は、表示を終了して、ステップＳ４０５に戻る。表示を終了しない場合、ステップＳ４１２に戻る。
【０１７８】
（ステップＳ４１３）第二端末装置１３は、この第二端末装置１３のユーザが提供する閲覧関連情報についてのコメントの出力指示を受け付けたか否かを判断する。受け付けた場合、ステップＳ４１４に進み、受け付けていない場合、ステップＳ４０１に戻る。
【０１７９】
（ステップＳ４１４）第二端末装置１３は、コメントの出力指示を、コメント管理サーバ装置１１に送信する。
【０１８０】
（ステップＳ４１５）確認用コメント受信部１３０１は、コメントを受信したか否かを判断する。受信した場合、ステップＳ４１６に進み、受信していない場合、ステップＳ４１５に戻る。
【０１８１】
（ステップＳ４１６）第二表示部１３０２は、コメントを表示する。そしてステップＳ４０１に戻る。
【０１８２】
なお、図４のフローチャートにおいて、第二端末装置１３の図示しない閲覧関連情報受付部等が閲覧関連情報を受け付けるステップと、受け付けた閲覧関連情報を図示しない送信部が、コメント管理サーバ装置１１に送信しても良い。
【０１８３】
なお、図４のフローチャートにおいて、電源オフや処理終了の割り込みにより処理は終了する。
【０１８４】
以下、本実施の形態におけるコメント管理システム１の具体的な動作について説明する。
【０１８５】
図５は、この具体例におけるコメント管理システム１の概念図である。この具体例においては、一例として、第一端末装置１２と第二端末装置１３との構成を兼ね備えた複数の通信端末装置１４が、コメント管理サーバ装置１１にインターネット等のネットワークを介して複数接続されており、ユーザが各通信端末装置１４を利用する場合を例に挙げて説明する。この通信端末装置１４を用いることで、一のユーザが、閲覧関連情報の入力や、他人の閲覧関連情報の閲覧や、他人の閲覧管理情報に対するコメントの入力が可能となる。なお、閲覧関連情報の入力しか行わないユーザは、通信端末装置１４の代わりに第二端末装置１３を利用するようにし、また、他人の閲覧管理情報に対する閲覧やコメント入力しか行わないユーザは、通信端末装置１４の代わりに第一端末装置１２を利用するようにしても良い。なお、図５において、ユーザＡ〜Ｆの利用する通信端末装置１４を通信端末装置１４Ａ〜１４Ｆで表している。なお、各通信端末装置１４内において、第一端末装置１２と第二端末装置１３とにおいて共用可能な一の装置に存在する２以上の処理手段、例えば第一受信部１２０１や確認用コメント受信部１３０１等は、物理的に一の媒体で実現されても良いことは言うまでもない。
【０１８６】
ここでは、コメント管理サーバ装置１１の閲覧関連情報送信部１１０２は、一のユーザの一以上の閲覧関連情報を配置したＷＥＢページを、第一端末装置からの要求に応じて送信する場合を例に挙げて説明する。閲覧関連情報は、例えば、ＷＥＢページに書き込まれた各情報（書き込み）であるとする。ただし、ＷＥＢページには、複数のユーザの閲覧関連情報が配置されてもよい。また、通信端末装置１４（第一端末装置１２）からの閲覧関連情報の要求は、例えば、閲覧関連情報が配置されたＷＥＢページの要求であるとする。この閲覧関連情報を要求する情報は、例えば、閲覧関連情報が配置されるＷＥＢページを指定するＵＲＬ等の情報であっても、ＷＥＢページを、このＷＥＢページに配置される閲覧関連情報を提供するユーザ等を指定することで指定する情報であってもよい。
【０１８７】
図６は、コメント管理システム１にユーザ登録するためのユーザ登録画面の表示例を示す図である。この画面の情報は、コメント管理サーバ装置１１から、ユーザ登録を希望するユーザの通信端末装置１４に送信される。
【０１８８】
ユーザが通信端末装置１４を操作して、ユーザ登録画面に、ユーザＩＤや個人情報等の必要事項を入力してボタン６１を押したとすると、入力された登録用の情報が、コメント管理サーバ装置１１にネットワークを介して送信される。送信される情報は、具体的には、ユーザの希望するユーザＩＤ、ユーザの住所、年齢、性別、職業、趣味の情報、ユーザの提供する閲覧関連情報を配置するＷＥＢページで構成されるＷＥＢサイト（以下、自分のサイトと称す）の形態を示す情報、自分のサイトのタイトル、自分のサイトのプロフィールを示す情報である。
【０１８９】
コメント管理サーバ装置１１は、通信端末装置１４から送信された登録用の情報を受信して、受信した情報を一のユーザ情報管理情報としてユーザ情報格納部１１１３に蓄積する。
【０１９０】
図７は、ユーザ情報格納部１１１３に格納されたユーザ情報管理情報を示す図である。ここでは、各行が、一のユーザ情報管理情報であるとする。ユーザ情報管理情報は、「ユーザＩＤ」、「サイトの形態」、「サイトのタイトル」、「自分のサイトのプロフィール」、「住所」、「年齢」、「性別」、「職業」、「趣味」、という項目を有している。各項目は、登録用の情報の項目に対応しているものとする。なお、「サイトの形態」において、「ブログ」は、ＷＥＢページのユーザの閲覧関連情報だけが閲覧関連情報として配置可能な形態のＷＥＢページで構成されるＷＥＢサイトであり、「電子掲示板」は、ＷＥＢページのユーザの閲覧関連情報に加えて、他のユーザの閲覧関連情報も配置可能な形態のＷＥＢページで構成されるＷＥＢサイトであるとする。
【０１９１】
図８は、閲覧関連情報格納部１１０１に格納された閲覧関連情報を管理する閲覧関連管理情報を示す図である。閲覧関連管理情報は、「ユーザＩＤ」、「書込みＩＤ」、「書込み者」、「書込み時間」、「書込み内容」という項目を有している。「書込み内容」が、閲覧関連情報格納部１１０１に格納された閲覧関連情報であり、例えば、ユーザによりＷＥＢページに書き込まれた文字列の情報である。「ユーザＩＤ」は、ＷＥＢページを管理するユーザのユーザＩＤである。この「ユーザＩＤ」は、上述した提供ユーザＩＤに相当する。「書込み者」は、書込み内容を入力したユーザのユーザＩＤである。「書込みＩＤ」は、閲覧関連管理情報ＩＤである。「書込み時間」は、「書込み内容」の情報を受け付けた時刻を示す情報である。
【０１９２】
例えば、ユーザＢが、ユーザＡが提供する閲覧関連情報で構成されるＷＥＢページを閲覧したいと考えて、通信端末装置１４Ｂを操作して、ユーザＡのユーザＩＤ「Ａ００１」を入力して、ユーザＡのＷＥＢページを表示させる指示を通信端末装置１４Ｂに入力すると、通信端末装置１４Ｂから、ユーザＩＤ「Ａ００１」に対応したＷＥＢページの情報を要求する情報が、コメント管理サーバ装置１１に送信される。
【０１９３】
コメント管理サーバ装置１１の閲覧関連情報送信部１１０２は、閲覧関連情報格納部１１０１に格納されている「ユーザＩＤ」が「Ａ００１」である１以上の閲覧関連管理情報の各項目の情報と、ユーザ情報格納部１１１３に格納されている「ユーザＩＤ」が「Ａ００１」であるユーザ情報管理情報のうちの、「サイトの形態」、「サイトのタイトル」、および「自分のサイトのプロフィール」の項目の情報を読み出す。
【０１９４】
図９は、コメント格納部１１０４に格納されているコメントを管理するコメント管理情報を示す図である。コメント管理情報は、「ユーザＩＤ」、「コメントＩＤ」、「コメント受信時間」、「コメント送信元」、「コメント内容」、「コメント対象」、「受取情報」、および「受取判断情報」という項目を有している。「ユーザ内容」は、閲覧関連情報に対して投稿されたコメントであり、ここでは文字列の情報であるとする。「ユーザＩＤ」は、コメントの投稿対象となる閲覧関連情報を提供したユーザのユーザＩＤである。「コメントＩＤ」は、コメントを識別するための識別情報、「コメント受信時間」はコメントを受信した時刻を示す情報、「コメント送信元」は、コメントを入力したユーザのユーザＩＤであり、上述したコメントユーザＩＤに相当する。「コメント対象」はコメントの投稿対象となる閲覧関連情報である。「受取情報」は、各コメントに対する受取情報であり、受取られたコメントである場合は値「１」が、受取られなかったコメントである場合は値「０」が入力される。また、受取りの判断、即ちユーザによる受取の指定が行われていない場合は空欄となる。「受取判断情報」は、各コメントに対する受取判断情報であり、受取りの判断が行われたコメント、即ち、受取コメント情報において、受取られたか否かが示されているコメントについては値「１」が、判断が行われていないコメントには値「０」が入力される。
【０１９５】
受取コメント関連情報取得部１１１０は、図９に示したコメント管理情報から、「ユーザＩＤ」が「Ａ００１」であるコメント管理情報に含まれるコメントであって、受取判断情報が「１」であるコメント管理情報に含まれるコメントを検出し、そのコメント数をカウントする。なお、ここでは、コメント数はコメント管理情報数と同じであるため、受取コメント関連情報取得部１１１０は、「ユーザＩＤ」が「Ａ００１」であるコメント管理情報のうちの、受取判断情報が「１」であるコメント管理情報の数をカウントしてもよい。これにより、「ユーザＩＤ」が「Ａ００１」であるユーザＡが受取ったコメント数を取得することができる。
【０１９６】
同様に、受取コメント関連情報取得部１１１０は、図９に示したコメント管理情報から、「ユーザＩＤ」が「Ａ００１」であるコメント管理情報に含まれるコメントであって、受取情報が「１」であるコメント管理情報に含まれるコメントを検出し、そのコメント数をカウントする。受取コメント関連情報取得部１１１０は、「ユーザＩＤ」が「Ａ００１」であるコメント管理情報のうちの、受取情報が「１」であるコメント管理情報の数をカウントしてもよい。これにより、「ユーザＩＤ」が「Ａ００１」であるユーザＡが受取ったコメント数を取得することができる。
【０１９７】
このようにして、受取コメント関連情報取得部１１１０は、受取コメント関連情報として、ユーザＩＤ「Ａ００１」のユーザが受信したコメント数と、このユーザが受取ったコメント数とを示す情報を取得することができる。受取コメント関連情報取得部１１１０は、取得した受取コメント関連情報を、ユーザ状況管理情報格納部１１１４に蓄積する。なお、既にユーザＩＤ「Ａ００１」についての受取コメント関連情報が格納されている場合、新たに取得した受取コメント関連情報で更新する。
【０１９８】
次に、送信コメント関連情報取得部１１１１は、図９に示したコメント管理情報から、「コメント送信元」が「Ａ００１」であるコメント管理情報に含まれるコメントであって、受取判断情報が「１」であるコメント管理情報に含まれるコメントを検出し、そのコメント数をカウントする。なお、送信コメント関連情報取得部１１１１は、「コメント送信元」が「Ａ００１」であるコメント管理情報のうちの、受取判断情報が「１」であるコメント管理情報の数をカウントしてもよい。これにより、「コメント送信元」が「Ａ００１」であるユーザＡが投稿したコメント数を取得することができる。
【０１９９】
次に、送信コメント関連情報取得部１１１１は、図９に示したコメント管理情報から、「コメント送信元」が「Ａ００１」であるコメント管理情報に含まれるコメントであって、受取情報が「１」であるコメント管理情報に含まれるコメントを検出し、そのコメント数をカウントする。なお、送信コメント関連情報取得部１１１１は、「コメント送信元」が「Ａ００１」であるコメント管理情報のうちの、受取判断情報が「１」であるコメント管理情報の数をカウントしてもよい。これにより、「コメント送信元」が「Ａ００１」であるユーザＡが投稿したコメントのうちの、投稿先で受取りされたコメント数を取得することができる。
【０２００】
このようにして、送信コメント関連情報取得部１１１１は、送信コメント関連情報として、ユーザＩＤ「Ａ００１」のユーザが投稿したコメント数と、投稿したコメント中の受取りされたコメント数とを示す情報を取得することができる。送信コメント関連情報取得部１１１１は、取得した送信コメント関連情報を、ユーザ状況管理情報格納部１１１４に蓄積する。なお、既にユーザＩＤ「Ａ００１」についての送信コメント関連情報が格納されている場合、新たに取得した送信コメント関連情報で更新する。
【０２０１】
なお、ここでは、閲覧関連情報を送信する際に、受取コメント関連情報取得部１１１０および送信コメント関連情報取得部１１１１が受取コメント関連情報および送信コメント関連情報を取得して、蓄積するようにしたが、他のタイミングで、受取コメント関連情報および送信コメント関連情報を取得して蓄積するようにしてもよい。例えば、受取コメント関連情報取得部１１１０および送信コメント関連情報取得部１１１１は、受取コメント情報受信部１１０７が受取コメント情報を受信した場合に、この受取コメント情報が示すコメントについての受取りの判断を行ったユーザについての受取コメント関連情報および送信コメント関連情報を取得して蓄積するようにしてもよい。
【０２０２】
図１０は、ユーザ状況管理情報格納部１１１４に格納されたユーザ状況管理情報を示す図である。ユーザ状況管理情報は、「報酬ポイント数」、「送信したコメントの状況」、「受信したコメントの状況」という項目を有している。さらに、「送信したコメントの状況」は、「送信コメント数」、「報酬受取り数」とう項目を有する。また、「受信したコメントの状況」は、「受信コメント数」と「報酬授与数」という項目を有している。
「報酬ポイント数」は、コメントの投稿対象となる閲覧関連情報を提供するユーザから、受取られたコメントを投稿したユーザに与えられる（移動させる）ポイント数である。この値は、例えばユーザの指示により設定や変更が可能なものであるとする。例えば、最初はデフォルトの値が設定される。
【０２０３】
「送信したコメントの状況」は、送信コメント関連情報である。「送信コメント数」は、対応する「ユーザＩＤ」が示すユーザが投稿したコメント数であり、「報酬受取り数」は送信したコメント中の、受取られた（即ち、報酬であるポイントを受け付けた）コメント数である。「受信したコメントの状況」は、受信コメント関連情報であり、「受信コメント数」は、対応する「ユーザＩＤ」が示すユーザが提供する閲覧関連情報に対して受け付けたコメント数であり、「報酬授与数」は、受け付けたコメント中の、受取りが決定された（即ち、報酬であるポイントが授与された）コメント数である。
【０２０４】
閲覧関連情報送信部１１０２は、「サイトの形態」の情報が、「電子掲示板」であるため、電子掲示板用のテンプレートを読み出し、閲覧関連情報送信部１１０２が上記で読み出した１以上の閲覧関連管理情報の各項目の情報、およびユーザ情報管理情報のうちの、「サイトのタイトル」、および「自分のサイトのプロフィール」の項目の情報と、受取コメント関連情報取得部１１１０が取得した受取コメント関連情報と、送信コメント関連情報取得部１１１１が取得した送信コメント関連情報と、「報酬ポイント数」の値とを、テンプレートが指定する位置に配置して、ＷＥＢページの情報を生成する。なお、このように、テンプレートに、データベース等に格納された情報を配置してＷＥＢページを動的に生成する技術は、いわゆるブログや電子掲示板の技術等で公知であるので、ここでは詳細な説明は省略する。
【０２０５】
そして、閲覧関連情報送信部１１０２は、生成したＷＥＢページを通信端末装置１４Ｂに送信する。
【０２０６】
通信端末装置１４Ｂの第一受信部１２０１は、コメント管理サーバ装置１１から送信される閲覧管理情報と、受取コメント管理情報と、送信コメント管理情報とを含むＷＥＢページの情報を受信する。
【０２０７】
第一表示部１２０２は、第一受信部１２０１が受信した閲覧関連情報等が配置されたＷＥＢページの情報を図示しないモニタ等に表示する。
【０２０８】
図１１は、第一表示部１２０２によるＷＥＢページの表示例を示す図である。図において、領域６０には閲覧関連管理情報の情報が時系列に沿って配置されている。また、領域６１には閲覧関連管理情報以外の情報が配置されている。領域６１のユーザＩＤは、ＷＥＢページの管理者のユーザＩＤである。報酬は、「報酬ポイント数」の値である。受取り数は、受取コメント関連情報である。受取られ数は、送信コメント関連情報である。タイトル及びプロフィールは、「サイトのタイトル」、および「自分のサイトのプロフィール」の情報である。また、フィールド６２は、ユーザＡのＷＥＢページに対して閲覧関連情報を書き込むためのフィールドである。
【０２０９】
ユーザＢは、ＷＥＢページの受取り数の情報である受取コメント管理情報を見ることで、このユーザＡが、過去に何件のコメントを受信し、そのうちの何件を受取っているかを知ることができるので、このユーザＡにコメントを送った場合に、受取られる可能性が高いのか否か等を推測することができる。
【０２１０】
また、ユーザＢは、ＷＥＢページの受取られ数の情報である送信コメント管理情報を見ることで、このユーザＡが、過去に何件のコメントを他人の閲覧関連情報に対して投稿し、そのうちの何件が受取られているかを知ることができるので、このユーザＡが他人の閲覧関連情報に対しても積極的にコメントを送っているユーザであるか否かを判断することができる。これにより、例えば、このユーザが単にポイントを収集する目的で閲覧関連情報を提供しているユーザであるか、他人との交流も視野にいれてこのコメント管理システム１を利用しているユーザであるか等を判断することができる。
【０２１１】
ここで、ユーザが、書込みＩＤが「Ｗ３」である閲覧関連情報に対してコメントを入力するために、書込みＩＤが「Ｗ３」であるコメントの右下のコメントボタン６４を、マウス等を操作してクリックしたとする。このクリックに応じて、コメントを入力する画面が表示される。
【０２１２】
図１２は、通信端末装置１４Ｂのモニタに表示されるコメントの入力画面の一例を示す図である。
【０２１３】
ユーザＢが、図１２の入力画面に、自分のユーザＩＤ「Ｂ００２」と「コメント」とを入力してコメント送信ボタン６５をクリックしたとすると、入力されたコメントが、ユーザＩＤ「Ｂ００２」と、コメントの対象となる閲覧関連情報ＩＤ（書込みＩＤ）「Ｗ３」と対応付けられてコメント管理サーバ装置１１に送信される。
【０２１４】
コメント管理サーバ装置１１のコメント受信部１１０３は、通信端末装置１４Ｂから送信されるコメント等の情報を受信すると、受信したコメント等の情報を、コメント格納部１１０４に蓄積（追記）する。具体的には、コメントとともに送信される閲覧関連情報ＩＤ（書込みＩＤ）「Ｗ３」と一致する「書込みＩＤ」と対応付けられた「書込み者」の値を、図８に示した閲覧関連管理情報から取得する。ここでは、「書込み者」の値として「Ａ００１」が取得される。そして、取得した「書込み者」の値「Ａ００１」を「ユーザＩＤ」とし、コメントとともに受信したユーザＩＤ「Ｂ００２」を「コメント送信元」とし、受信した閲覧関連情報ＩＤ「Ｗ３」を「コメント対象」とし、受信したコメントを「コメント内容」とし、「受取判断情報」の値を「０」とし、コメントを受信した時刻を「コメント受信時刻」とし、新たに取得したコメントＩＤを「コメントＩＤ」として有するコメント管理情報を、コメント格納部１１０４に蓄積（追記）する。なお、「受取情報」の値は空欄とする。
【０２１５】
同様に、他の通信端末装置からも、様々な閲覧管理情報に対してコメントが入力され、コメントがコメント格納部１１０４に蓄積されたとする。
【０２１６】
図１３は、コメントが追記された後のコメント格納部１１０４に格納されているコメントを管理するコメント管理情報を示す図である。新たに追記されたコメントは、対応する「受取判断情報」の値が「０」であるコメントである。
【０２１７】
ここで、ユーザＡが、通信端末装置１４Ａを操作して、自分のユーザＩＤである「Ａ００１」を入力してコメント管理サーバ装置１１にログインして、確認用コメントの送信を要求する情報をコメント管理サーバ装置１１に送信したとする。
【０２１８】
コメント管理サーバ装置１１が、ユーザＩＤが「Ａ００１」であるユーザからの確認用コメントの送信を要求する情報を受信すると、確認用コメント送信部１１０５は、確認用コメントを送信する。具体的には、確認用コメント送信部１１０５は、図１３に示したコメント管理情報から、「ユーザＩＤ」が「Ａ００１」であって、「受取判断情報」の値が「０」であるコメント管理情報を検出し、このコメント管理情報の「受取情報」と「受取判断情報」とを除いた情報を取得する。取得したコメント管理情報の「コメント内容」が確認用コメントに相当する。そして、確認用コメント送信部１１０５は、取得した確認用コメントである「コメント内容」の値と、「コメントＩＤ」の値とをそれぞれ対応付けて通信端末装置１４Ａに送信する。
【０２１９】
通信端末装置１４Ａの確認用コメント受信部１３０１は、コメント管理サーバ装置１１から送信される確認用コメントと「コメントＩＤ」とを受信する。
【０２２０】
通信端末装置１４Ａの第二表示部１３０２は、受信した確認用コメントを表示する。
【０２２１】
図１４は、第二表示部１３０２による確認用コメントの表示例を示す図である。図において、各コメントの左横のチェックボックスは、受取りするコメントを指定するチェックボックスであり、チェックが入れられたコメントが、ユーザが受取を指定したコメントとなる。各コメントの右下には、コメントに対応する閲覧関連情報ＩＤ（書込みＩＤ）が表示される。この閲覧関連情報ＩＤを見ることで、ユーザは、どの閲覧関連情報に対するコメントであるかを知ることができる。
【０２２２】
ここで、ユーザが表示されている確認用コメントのうちのコメントＩＤが「Ｃ１」であるコメントの領域上をマウスを操作してクリックしたとすると、指定指示受付部１３０５は、クリックされたコメントＩＤが「Ｃ１」のコメントを指定する指定指示を受け付ける。そして、通信端末装置１４Ａは、受け付けた指定指示を、コメント管理サーバ装置１１に送信する。コメント管理サーバ装置１１がこの指定指示を受信すると、確認用コメント関連情報取得部１１１２は、指定指示が示すコメントＩＤ「Ｃ１」を投稿したユーザについての確認用コメント関連情報を取得する。具体的には、確認用コメント関連情報取得部１１１２は、図１３に示したコメント管理情報のうちの、「コメントＩＤ」が「Ｃ１」であるコメント管理情報から、「コメント送信元」の値である「Ｃ００３」を取得する。
【０２２３】
そして、確認用コメント関連情報取得部１１１２は、図１３に示したコメント管理情報から、「コメント送信元」が「Ｃ００３」であるコメント管理情報に含まれるコメントであって、受取判断情報が「１」であるコメント管理情報に含まれるコメントを検出し、そのコメント数をカウントする。なお、送信コメント関連情報取得部１１１１は、「コメント送信元」が「Ｃ００３」であるコメント管理情報のうちの、受取判断情報が「１」であるコメント管理情報の数をカウントしてもよい。これにより、「コメント送信元」が「Ｃ００３」であるユーザが投稿したコメント数を取得することができる。
【０２２４】
次に、確認用コメント関連情報取得部１１１２は、図１３に示したコメント管理情報から、「コメント送信元」が「Ｃ００３」であるコメント管理情報に含まれるコメントであって、受取情報が「１」であるコメント管理情報に含まれるコメントを検出し、そのコメント数をカウントする。なお、送信コメント関連情報取得部１１１１は、「コメント送信元」が「Ｃ００３」であるコメント管理情報のうちの、受取判断情報が「１」であるコメント管理情報の数をカウントしてもよい。これにより、「コメント送信元」が「Ｃ００３」であるユーザが投稿したコメントのうちの、投稿先で受取りされたコメント数を取得することができる。
【０２２５】
このようにして、確認用コメント関連情報取得部１１１２は、確認用コメント関連情報として、ユーザＩＤが「Ｃ００３」のユーザが投稿したコメント数と、投稿したコメント中の受取りされたコメント数とを示す情報を取得することができる。なお、この確認用コメント関連情報は、ユーザＩＤが「Ｃ００３」であるユーザについての、上述した送信コメント関連情報と同様の情報である。このため、確認用コメント関連情報取得部１１１２は、取得した確認用コメント関連情報を、ユーザＩＤが「Ｃ００３」であるユーザの送信用コメント関連情報として、ユーザ状況管理情報格納部１１１４に蓄積する。なお、既にユーザＩＤ「Ｃ００３」についての送信コメント関連情報が格納されている場合、新たに取得した確認用コメント関連情報で更新してもよい。また、最新と考えられる送信用コメント関連情報がユーザ状況管理情報格納部１１１４に格納されている場合、確認用コメント関連情報取得部１１１２は、指定指示が示すコメントを投稿したユーザの、送信用コメント関連情報を、確認用コメント関連情報として、ユーザ状況管理情報格納部１１１４から読み出すようにしても良い。
【０２２６】
そして、確認用コメント関連情報取得部１１１２が、指定指示が示すコメントを投稿したユーザについて取得した確認用コメント関連情報を、コメント管理サーバ装置１１は、通信端末装置１４Ａに送信する。
【０２２７】
通信端末装置１４Ａが確認用コメント関連情報を受信すると、第二表示部１３０２は、受信した確認用コメント関連情報を、例えば、指定指示を受け付けたコメント近傍に表示する。
【０２２８】
図１５は、第二表示部１３０２による確認用コメント関連情報の表示例を示す図である。なお、閉じるボタン６７を押すと、確認用コメント関連情報の表示が終了する。
【０２２９】
つぎに、ユーザＡが、通信端末装置１４Ａを操作して、コメントＩＤが「Ｃ２」であるコメントの横のチェックボックスにチェックを入れて、「受取り」ボタン６６をクリックしたとする。受取コメント受付部１３０３は、この操作に応じて、コメントＩＤが「Ｃ２」であるコメントを、ユーザが受取るコメントに指定する受取コメント情報を取得する。なお、ここでは、受取コメント情報は、残りのコメントを受け取らないコメントに指定する情報も含むものとする。例えば、受取コメント情報は、コメントＩＤと、コメントの受取りの可否を示す情報とを有する１以上の情報であるとする。受取りの可否を示す情報は、例えば、受取る場合の値が「１」、受け取らない場合（受取拒否の場合）の値が「０」である情報である。例えば、受取コメント情報は、コメントＩＤ「Ｃ１」と受取らないことを示す情報「０」とを組み合わせた情報や、コメントＩＤ「Ｃ２」と受取ることを示す情報「１」とを組み合わせた情報である。
【０２３０】
コメント管理サーバ装置１１の受取コメント情報受信部１１０７は、受取コメント情報を受信すると、図１４に示したコメント管理情報のうちの「コメントＩＤ」の値が、受取ることを示す受取コメント情報に含まれるコメントＩＤの値と一致するコメント管理情報の、受取情報の値を、受取るコメントであることを示す値「１」に変更し、受取判断情報の値を、受取りの可否が判断済であることを示す値「１」に変更する。また、図１４に示したコメント管理情報のうちの「コメントＩＤ」の値が、受け取らないことを示す受取コメント情報に含まれるコメントＩＤの値と一致するコメント管理情報の、受取情報の値を、受け取らないコメントであることを示す値「０」に変更し、受取判断情報の値を、受取りの可否が判断済であることを示す値「１」に変更する。
【０２３１】
図１６は、受取コメント情報に応じて、図１３に示すコメント管理情報を更新したコメント管理情報を示す図である。
【０２３２】
また、ポイント管理部１１０８は、受取コメント情報に応じて、ユーザのポイントを移動させる。
【０２３３】
図１７は、ポイント情報格納部１１０６に格納されているユーザ別のポイントを管理するポイント管理情報を示す図である。ポイント管理情報は、「ユーザＩＤ」と、「ポイント」という項目を有している。「ポイント」は、対応する「ユーザＩＤ」が示すユーザが所有するポイントの合計値を示す。
【０２３４】
ポイント管理部１１０８は、受取りであることを示す受取コメント情報に含まれるコメントＩＤを取得し、コメント管理情報から、このコメントＩＤに対応する提供ユーザＩＤである「ユーザＩＤ」の値と、コメントユーザＩＤである「コメント送信元」の値とを取得する。さらに、取得した「ユーザＩＤ」に対応する「報酬ポイント数」の値を、図１０に示したユーザ状況管理情報から取得する。
【０２３５】
例えば、受取コメント情報受信部１１０７が受信した受取コメント情報のうちの、受取りの可否を示す値が「１」であった受取コメント情報が一つだけであり、その受取コメント情報に含まれるコメントＩＤが「Ｃ２」であったとする。ポイント管理部１１０８は、コメント管理情報から、このコメントＩＤ「Ｃ２」に対応する「ユーザＩＤ」の値「Ａ００１」と、「コメント送信元」の値「Ｂ００２」とを取得する。さらに、取得した「ユーザＩＤ」の値「Ａ００１」に対応する「報酬ポイント数」の値「１０」ポイントを、図１０に示したユーザ状況管理情報から取得する。
【０２３６】
そして、ポイント管理部１１０８は、図１７に示したポイント管理情報において、コメント管理情報から取得した「ユーザＩＤ」に対応する「ポイント」の値を、ユーザ状況管理情報から取得したポイントの値の分だけ、コメント管理情報から取得した「コメントの送信元」に対応する「ポイント」の値に移動させる。具体的には、「Ａ００１」に対応するポイントの値から「１０」ポイントを減算し、「Ｂ００２」に対応するポイントの値に「１０」ポイントを加算する。これにより、ユーザＩＤ「Ａ００１」に対応するポイント数が「２０」になり、ユーザＩＤ「Ｂ００２」に対応するポイント数が「３０」になる。これによって、コメントを受取ったユーザＩＤが「Ａ００１」であるユーザのポイントを、コメントを投稿したユーザＩＤが「Ｂ００２」であるユーザに移動させることとなる。
【０２３７】
次に、ユーザＢが、通信端末装置１４Ｂを操作して、趣味が「料理」であるユーザを、コメントの受信数に対する受取数の比率である受取率で順位付けして表示する指示を入力したとすると、この指示を示す情報がコメント管理サーバ装置１１に送信される。この受取率は、上述した受取コメント順位情報の一例に相当する。
【０２３８】
コメント管理サーバ装置１１の受取コメント関連情報取得部１１１０は、通信端末装置１４Ｂからの指示に従って、まず、図７に示したユーザ情報管理情報から、「趣味」の値が「料理」であるユーザ情報管理情報の「ユーザＩＤ」の値を取得する。
【０２３９】
次に、受取コメント関連情報取得部１１１０は、上記で取得した「趣味」の値が「料理」である「ユーザＩＤ」に対応する図１０に示したユーザ状況管理情報の中から、「受信したコメントの状況」の値が空欄である「ユーザＩＤ」を検出する。そして、検出した各「ユーザＩＤ」について、受取コメント関連情報である「受信したコメントの状況」の値を、上記のユーザＩＤが「Ａ００１」であるユーザの場合と同様に取得する。そして、取得した受取コメント関連情報を、ユーザ状況管理情報に蓄積する。
【０２４０】
次に、受取コメント関連情報取得部１１１０は、上記で取得した各「ユーザＩＤ」に対応するユーザ状況管理情報の中から、「受信したコメントの状況」の「受信コメント数」の値と、「報酬授与数」の値とを、順次取得し、「報酬授与数」を「受信コメント数」で除算して、受取コメント順位情報である受取率を算出していく。
【０２４１】
そして、閲覧関連情報送信部１１０２は、ユーザ情報格納部１１１３に格納されているユーザ情報管理情報や、ユーザ状況管理情報格納部１１１４に格納されているユーザ状況管理情報等から、上記で取得した「趣味」の値が「料理」である各「ユーザＩＤ」にそれぞれ対応する「サイトタイトル」や「自分サイトのプロフィール」や、「報酬ポイント数」等の値を取得し、上記で取得した受取率の値の高い順に配列したＷＥＢページの情報を生成して、通信端末装置１４Ｂに送信する。なお、一のＷＥＢページには、受取率の順位が予め指定された順位までのユーザＩＤについての情報だけを配置するようにしても良い。
【０２４２】
通信端末装置１４Ｂの第一受信部１２０１は、送信されたＷＥＢページの情報を受信し、第一表示部１２０２は、受信したＷＥＢページの情報を表示する。
【０２４３】
図１８は、受取コメント順位情報である受取率の表示例を示す図である。ユーザのＷＥＢページを示す情報が、ユーザの受取率によって、順位付けされて表示されるため、どのユーザのＷＥＢページをコメントの投稿対象の候補に選択するかを容易に決定することが可能となる。
【０２４４】
次に、ユーザＢが、通信端末装置１４Ｂを操作して、趣味が「料理」であるユーザを、コメントの送信数に対する受取られた数の比率である受入率で順位付けして表示する指示を入力したとすると、この指示を示す情報がコメント管理サーバ装置１１に送信される。この受入率は、上述した送信コメント順位情報の一例に相当する。
【０２４５】
コメント管理サーバ装置１１の送信コメント関連情報取得部１１１１は、上記と同様に、「趣味」の値が「料理」であるユーザ情報管理情報の「ユーザＩＤ」の値を取得する。
【０２４６】
次に、送信コメント関連情報取得部１１１１は、上記で取得した「趣味」の値が「料理」である「ユーザＩＤ」に対応する図１０に示したユーザ状況管理情報の中から、「送信したコメントの状況」の各欄の値が空欄である「ユーザＩＤ」を検出する。そして、検出した各「ユーザＩＤ」について、受取コメント関連情報である「送信したコメントの状況」の各欄の値を、上記のユーザＩＤが「Ａ００１」であるユーザの場合と同様に取得する。そして、取得した送信コメント関連情報を、ユーザ状況管理情報に蓄積する。
【０２４７】
次に、送信コメント関連情報取得部１１１１は、上記で取得した各「ユーザＩＤ」に対応するユーザ状況管理情報の中から、「送信したコメントの状況」の「送信コメント数」の値と、「報酬受取り数」の値とを、順次取得し、「報酬受取り数」を「送信コメント数」で除算して、送信コメント順位情報である受入率を算出していく。
【０２４８】
そして、閲覧関連情報送信部１１０２は、ユーザ情報格納部１１１３に格納されているユーザ情報管理情報や、ユーザ状況管理情報格納部１１１４に格納されているユーザ状況管理情報等から、上記で取得した「趣味」の値が「料理」である各「ユーザＩＤ」にそれぞれ対応する「サイトタイトル」や「自分サイトのプロフィール」や、「報酬ポイント数」等の値を取得し、上記で取得した受入率の値の高い順に配列したＷＥＢページの情報を生成して、通信端末装置１４Ｂに送信する。なお、一のＷＥＢページには、受入率の順位が予め指定された順位までのユーザＩＤについての情報だけを配置するようにしても良い。
【０２４９】
通信端末装置１４Ｂの第一受信部１２０１は、送信されたＷＥＢページの情報を受信し、第一表示部１２０２は、受信したＷＥＢページの情報を表示する。
【０２５０】
図１９は、送信コメント順位情報である受入率の表示例を示す図である。ユーザのＷＥＢページを示す情報が、ユーザの受入率によって、順位付けされて表示されるため、コメントの受け入れられやすいユーザが提供するＷＥＢページを容易に調べることが可能となる。
【０２５１】
以上、本実施の形態によれば、閲覧関連情報を提供するユーザが、提供する閲覧関連情報に対するコメントを受取るか否かを判断して、受取りするコメントに対してだけポイントを与えるようにすることができるため、不要なポイントの付与を防いで、適切にポイントを与えることができる。
【０２５２】
なお、上記具体例においては、閲覧関連情報が配置された一のユーザＡのＷＥＢページとして、このユーザＡについての受取コメント関連情報が予め配置されたＷＥＢページをコメント管理サーバ装置１１がユーザＢの通信端末装置１４Ｂに送信する場合を例に挙げて説明した。以下、変形例として、ユーザＢが通信端末装置１４Ｂを操作して、一の閲覧関連情報に対するコメントを予め指定された文字数を入力した時点で受取コメント関連情報が表示されるようにした一例について説明する。
【０２５３】
まず、通信端末装置１４Ｂのコメント受付部１２０３は、例えば、図１２に示したようなコメントの入力画面が表示された後、コメントの受け付けるための入力フィールドに文字列が１文字以上入力されたか否かの判断を繰り返す。入力された場合、コメント送信部１２０４は、現在通信端末装置１４Ｂで表示されているＷＥＢページに配置されている閲覧関連情報を提供するユーザＩＤ「Ａ００１」を、提供ユーザＩＤとしてこのＷＥＢページの情報から取得する。そして、この提供ユーザＩＤと、この提供ユーザＩＤが示すユーザについての受取コメント関連情報を要求する情報とをコメント管理サーバ装置１１に対して送信する。
コメント管理サーバ装置１１は、図示しない受信部により、提供ユーザＩＤと受取コメント関連情報を要求する情報を受信すると、この要求する情報に応じて、受信した提供ユーザＩＤ「Ａ００１」が示すユーザについての受取コメント関連情報を取得する。なお、ユーザＩＤ「Ａ００１」に対応した受取コメント関連情報を取得する処理は、上記の具体例と同様であるので、ここでは詳細な説明は省略する。そして、取得した受取コメント関連情報を、コメント管理サーバ装置１１の閲覧関連情報送信部１１０２は、通信端末装置１４Ｂに送信する。
【０２５４】
通信端末装置１４Ｂの第一受信部１２０１がこの受取コメント情報を受信し、受信した受取コメント関連情報を、第一表示部１２０２は、現在表示中のコメント入力画面上に重ねて表示する。
【０２５５】
図２０は、第一表示部１２０２による受取コメント関連情報の表示例を示す図である。このように、コメント入力開始の際に、受取コメント関連情報を表示することにより、コメントの入力対象となる閲覧関連情報を提供したユーザのコメントの受取状況を把握することができる。特に、コメント入力開始時に表示されるため、コメント入力を行うユーザに注意の喚起を促すことができる。また、閲覧関連情報を閲覧する際には、不要な情報の表示を無くすことができ、閲覧に集中させることができる。
【０２５６】
（実施の形態２）
上記実施の形態においては、ユーザが入力した閲覧関連情報を用いるシステムについて説明したが、本実施の形態においては、ユーザが指定した閲覧情報に関する情報を、閲覧関連情報として用いるシステムについて説明する。
【０２５７】
図２１は、本実施の形態におけるコメント管理システム２のブロック図である。
【０２５８】
コメント管理システム２は、１以上の閲覧用サーバ装置２０、コメント管理サーバ装置２１、１以上の第一端末装置２２、１以上の第二端末装置１３を備える。なお、図においては説明の便宜上、閲覧用サーバ装置２０と、第一端末装置２２と、第二端末装置１３とがそれぞれ一つずつ備えている場合の例について示している。
【０２５９】
閲覧用サーバ装置２０は、閲覧情報格納部２００１、閲覧送信部２００２、閲覧関連情報取得部２００３、取得閲覧関連情報送信部２００４、および閲覧用受信部２００５を備える。閲覧用サーバ装置２０、コメント管理サーバ装置２１、第一端末装置２２、および第二端末装置１３は、有線や無線のネットワークや通信回線等を介して、通信可能となるよう接続されている。
【０２６０】
コメント管理サーバ装置２１は、閲覧関連情報格納部２１０１、閲覧関連情報送信部１１０２、コメント受信部１１０３、コメント格納部１１０４、確認用コメント送信部１１０５、ポイント情報格納部１１０６、受取コメント情報受信部１１０７、ポイント管理部１１０８、コメント出力部１１０９、受取コメント関連情報取得部１１１０、送信コメント関連情報取得部１１１１、確認用コメント関連情報取得部１１１２、ユーザ情報格納部１１１３、ユーザ状況管理情報格納部１１１４、更新用閲覧関連情報取得部２１１５、閲覧関連情報更新部２１１６を備える。
【０２６１】
第一端末装置２２は、第一受信部１２０１、第一表示部１２０２、コメント受付部１２０３、コメント送信部１２０４、閲覧指定受付部２２０５、閲覧指定送信部２２０６を備える。
【０２６２】
コメント管理サーバ装置２１において、閲覧関連情報格納部２１０１、更新用閲覧関連情報取得部２１１５、閲覧関連情報更新部２１１６以外の構成については、上記実施の形態１のコメント管理サーバ装置１１と同様であるので説明は省略する。
【０２６３】
第一端末装置２２において、第一受信部２２０１、第二表示部２２０２、閲覧指定受付部２２０５、閲覧指定送信部２２０６以外の構成については、上記実施の形態１の第一端末装置１２と同様であるのでここでは説明を省略する。
【０２６４】
閲覧用サーバ装置２０は、閲覧情報を提供するサーバ装置である。閲覧用サーバ装置２０は、例えばコンピュータシステム等で実現可能である。
【０２６５】
閲覧情報格納部２００１は、１以上の閲覧情報が格納される。閲覧情報は、例えばＷＥＢページ等の情報である。ＷＥＢページは、例えばＷＷＷ等によりインターネット上で公開されている文書等である。ＷＥＢページの情報は、例えば、ＨＴＭＬファイルや、画像や、電子文書ファイル等の情報である。このＷＥＢページは、ＷＥＢページの送信を要求する指示等に応じて動的に生成されるＷＥＢページであっても良いし、静的なＷＥＢページであっても良い。閲覧情報は、いわゆるＲＳＳ（ＲＤＦ  ｓｉｔｅ  ｓｕｍｍａｒｙ）等の、閲覧情報自身についての要約の情報である要約情報等を対応付けて有するものであることが好ましい。この要約情報は、例えば、ＷＥＢページとは別ファイル等として、閲覧情報格納部２００１等に格納されていても良いし、ＷＥＢページ内に、埋め込まれていても良い。この要約情報は、例えばＷＥＢページが更新された場合、更新されることから、更新情報と考えても良い。要約情報には、例えば、要約の元となるＷＥＢページのＵＲＬやタイトルや要約情報の最終更新日等の情報が含まれる。
【０２６６】
閲覧情報格納部２００１は、不揮発性の記録媒体が好適であるが、揮発性の記録媒体でも実現可能である。
【０２６７】
閲覧送信部２００２は、閲覧情報格納部２００１に格納されている閲覧情報を送信する。例えば、第一端末装置２２等から送信される閲覧情報の送信を要求する情報に応じて、閲覧情報格納部２００１から閲覧情報を読み出して、第一端末装置２２に送信する。閲覧送信部２００２は、通常、無線または有線の通信手段で実現される。閲覧送信部２００２は、通信デバイスを含むと考えても、含まないと考えても良い。
【０２６８】
閲覧関連情報取得部２００３は、閲覧情報格納部２００１に格納されている閲覧情報に関する閲覧関連情報を取得する。閲覧関連情報は、上述したように、閲覧情報を構成する一部の情報や、閲覧情報の要約やインデックスやタイトルの情報であってもよい。例えば、閲覧関連情報取得部２００３は、閲覧情報のタイトルの情報を閲覧関連情報として取得しても良い。また、閲覧関連情報が複数の書込みの情報で構成される掲示板やブログ等の情報である場合、この掲示板やブログの各書込みの情報や、その一部を閲覧関連情報として取得しても良い。また、閲覧情報の更新日等の情報や、閲覧情報のＵＲＬ等の情報を取得しても良い。また、閲覧情報の要約の情報であっても良い。閲覧関連情報取得部２００３は、閲覧情報から自動要約を作成するソフトウェア等を用いて要約情報は自動で取得しても良いし、予め閲覧情報内に設けられた要約情報を読み出して取得しても良い。また、これらの情報を適宜組み合わせた情報を閲覧関連情報として取得してもよい。本実施の形態においては、閲覧関連情報が、閲覧関連情報の要約情報であり、この要約情報を、閲覧関連情報取得部２００３が読み出す場合を例に挙げて説明する。特に、ここでは、この要約情報がＲＳＳである場合を例に挙げて説明する。
【０２６９】
ＲＳＳのデータ（以下、ＲＳＳデータと称す）は、通常、ＷＥＢページの情報であるＨＴＭＬファイルとは別ファイルとして、閲覧情報格納部２００１や、図示しない他の格納部等に格納されている。ＲＳＳデータには、通常対応するＷＥＢページのＵＲＬとは異なるＵＲＬが対応付けられている。閲覧情報には、通常、対応する要約情報のアドレス等を示すリンク情報が配置されている。また、ＲＳＳデータには、通常、ＲＳＳデータが対応するＷＥＢページのＵＲＬ（即ち、要約元のＵＲＬ）の情報が格納される。これにより、閲覧情報から対応するＲＳＳデータを辿ることや、ＲＳＳデータから対応する閲覧情報を辿ることを可能としている。ＲＳＳデータには、ＷＥＢページの要約を示す文章（文字列）や、更新日時等の情報が格納される。ＲＳＳデータは、対応するＷＥＢページの情報から自動生成することも可能である。
【０２７０】
閲覧関連情報取得部２００３は、例えば、後述する閲覧用受信部２００５が受信したコメント管理サーバ装置２１から送信される閲覧関連情報を送信を要求する情報に応じて、閲覧関連情報を取得しても良いし、予め指定された一定又は不定期のタイミングによって閲覧関連情報を取得しても良い。なお、ＲＳＳデータ等を更新する処理等については、公知技術であるのでここでは詳細な説明は省略する。
【０２７１】
閲覧関連情報取得部２００３は、通常、ＭＰＵやメモリ等から実現され得る。閲覧関連情報取得部２００３の処理手順は、通常、ソフトウェアで実現され、当該ソフトウェアはＲＯＭ等の記録媒体に記録されている。但し、ハードウェア（専用回路）で実現しても良い。
【０２７２】
取得閲覧関連情報送信部２００４は、閲覧関連情報取得部２００３が取得した閲覧関連情報をコメント管理サーバ装置２１に送信する。取得閲覧関連情報送信部２００４は、例えば、後述する閲覧用受信部２００５が受信したコメント管理サーバ装置２１からの閲覧関連情報の送信を要求する指示に応じて、取得した閲覧関連情報（例えばＲＳＳ等の閲覧情報の要約情報）をコメント管理サーバ装置２１に送信する。あるいは、予め指定された一定又は不定期のタイミングによって閲覧関連情報をコメント管理サーバ装置２１に送信しても良い。
【０２７３】
取得閲覧関連情報送信部２００４は、通常、無線または有線の通信手段で実現される。取得閲覧関連情報送信部２００４は、通信デバイスを含むと考えても、含まないと考えても良い。
【０２７４】
閲覧用受信部２００５は、コメント管理サーバ装置２１から送信される閲覧関連情報を要求する情報を受信する。閲覧関連情報を要求する情報は、例えば、閲覧関連情報であるＲＳＳデータのＵＲＬである。
【０２７５】
閲覧用受信部２００５は、通常、無線または有線の通信手段で実現される。閲覧用受信部２００５は、通信デバイスを含むと考えても、含まないと考えても良い。
【０２７６】
閲覧関連情報格納部２１０１には、閲覧関連情報が格納される。本実施の形態においては、閲覧関連情報格納部２１０１には、閲覧用サーバ装置２０に格納されている閲覧情報に関する閲覧関連情報が格納される場合を例に挙げて説明する。
【０２７７】
閲覧関連情報格納部２１０１に格納される閲覧関連情報は、本実施の形態においては、例えば、第二端末装置１３の一のユーザが提供する閲覧情報に関する閲覧関連情報である。具体例を挙げると、第二端末装置１３の一のユーザが提供するＷＥＢページ（閲覧情報）についてのＲＳＳデータ（閲覧関連情報）である。また、一のユーザが提供する掲示板やブログ等のＷＥＢページ（閲覧情報）に配置される書込み等のデータ（閲覧関連情報）である。ただし、本実施の形態における閲覧関連情報は、ユーザが提供する閲覧情報に関連する閲覧情報でなくても良く、ユーザが指定した閲覧情報についての閲覧関連情報である。なお、本実施の形態においては、このような一のユーザが提供あるいは指定した閲覧情報についての閲覧関連情報は、一のユーザのＷＥＢページ等に配置されることによって、一のユーザのデータとして提供されることから、このような閲覧関連情報も一のユーザが提供した閲覧関連情報と考える。なお、閲覧情報に関する閲覧関連情報を、例えば、閲覧情報であるＷＥＢページが格納されるＷＥＢサイトに関するＲＳＳ等の閲覧関連情報と考えても良い。各閲覧関連情報には、例えば、この閲覧関連情報に対応した閲覧情報を提供した一のユーザのユーザＩＤが対応付けて格納される。ただし、この閲覧関連情報は、一のユーザが提供する閲覧情報に関するものでなくてよい。また、閲覧関連情報格納部２１０１には、閲覧関連情報は、閲覧関連情報ＩＤと対応付けて格納される。また、閲覧関連情報格納部２１０１には、閲覧関連情報に対応する閲覧情報のＵＲＬ等のアドレス情報が対応付けて格納されているようにしてもよい。
【０２７８】
なお、閲覧関連情報格納部２１０１のその他の構成等については、上記実施の形態１の閲覧関連情報格納部２１０１と同様であるので、詳細な説明は省略する。
【０２７９】
更新用閲覧関連情報取得部２１１５は、閲覧用サーバ装置２０から閲覧関連情報を取得する。この閲覧関連情報は、例えば、更新に用いられる閲覧関連情報である。例えば、更新用閲覧関連情報取得部２１１５は、例えば、閲覧用サーバ装置２０から予めユーザ別に指定された１以上の閲覧関連情報を取得する。例えば、更新用閲覧関連情報取得部２１１５は、閲覧関連情報を要求する情報を閲覧用サーバ装置２０送信して、これに応じて送信される閲覧関連情報を受信することで、閲覧関連情報を取得する。例えば、予め各ユーザから指定されている１以上の閲覧関連情報（例えばＲＳＳ等）が格納されている閲覧用サーバ装置２０のＵＲＬをＨＴＴＰで送信することで、各閲覧用サーバ装置２０から、ＵＲＬで指定されたＲＳＳデータを取得する。
【０２８０】
なお、取得対象となる閲覧関連情報を指定するＵＲＬ等の情報は、例えば、図示しない記憶媒体等に予め蓄積しておくようにする。
【０２８１】
閲覧関連情報取得部２１１５が閲覧関連情報を取得するタイミングやトリガー等は問わない。例えば、更新用閲覧関連情報取得部２１１５は、予め指定された一定または不定のタイミングで閲覧関連情報を取得する。更新用閲覧関連情報取得部２１１５は、無線や有線の通信手段等で実現可能である。
【０２８２】
閲覧関連情報更新部２１１６は、更新用閲覧関連情報取得部２１１５が受信した閲覧関連情報で、閲覧関連情報格納部２１０１に格納されている閲覧関連情報を更新する。例えば、同じＵＲＬから取得した閲覧関連情報を更新する。更新は、例えば、追記でも、上書きでも良いし、一旦削除した後の書込みでも良い。あるいは、古くなった閲覧関連情報を削除することであっても良い。例えば、最新の閲覧関連情報を順次追記しても良いし、最新の閲覧関連情報で、同じＵＲＬから取得した閲覧関連情報や、同じＵＲＬのＷＥＢページを示す閲覧関連情報を書き換えても良い。なお、閲覧関連情報更新部２１１６は、更新用閲覧関連情報取得部２１１５が取得した閲覧関連情報が最新の閲覧関連情報であるか否かを判断し、最新である場合にのみ更新するようにしても良い。例えば、閲覧関連情報に更新日時等の情報が含まれる場合、閲覧関連情報更新部２１１６は、この情報同士を比較して、更新用閲覧関連情報取得部２１１５が取得した最新の閲覧関連情報の方が、最新の日時である場合にのみ、更新するようにしても良い。あるいは、閲覧関連情報同士、あるいは閲覧関連情報の予め指定された部分同士が、一致するか否かを判断して、一致しない場合にのみ更新するようにしても良い。一致か否かは文字列等の比較により行われる。閲覧関連情報の予め指定された部分同士とは、例えば、ＲＳＳデータの要約内容を示す文字列同士である。通常、ＭＰＵやメモリ等から実現され得る。コメント管理サーバ装置１１の処理手順は、通常、ソフトウェアで実現され、当該ソフトウェアはＲＯＭ等の記録媒体に記録されている。但し、ハードウェア（専用回路）で実現しても良い。
【０２８３】
第一受信部２２０１は、上記実施の形態１において説明した第一受信部１２０１において、更に、閲覧用サーバ装置２０から送信される閲覧情報を受信するようにしたものである。例えば、第一受信部２２０１は、閲覧用サーバ装置２０から送信されるＷＥＢページの情報を受信する。その他の構成については、第一受信部１２０１と同様であるので、ここでは説明を省略する。
【０２８４】
第一表示部２２０２は、上記実施の形態１において説明した第一表示部１２０２において、更に、第一受信部２２０１が受信した閲覧情報を表示するようにしたものである。例えば、第一表示部２２０１は、第一受信部２２０１が受信したＷＥＢページの情報を表示する。その他の構成については、第一表示部１２０２と同様であるので、ここでは説明を省略する。
【０２８５】
閲覧指定受付部２２０５は、第一受信部２２０１が受信した閲覧関連情報のうちの一の閲覧関連情報に対して、この閲覧関連情報に対応する閲覧情報を閲覧対象に指定する情報である閲覧指定を受け付ける。例えば、第二表示部１３０２が表示している閲覧関連情報をマウス等でクリックすることで、この閲覧関連情報に対応した閲覧情報を閲覧するための指定を受け付ける。閲覧指定を受け付けるということは、例えば、対応する閲覧情報を表示する指示を受け付けたことと考えても良い。受付とは、例えば、入力手段からの受付等である。閲覧指定の入力手段は、テンキーやキーボードやマウスやメニュー画面によるもの等、何でも良い。閲覧指定受付部２２０５は、テンキーやキーボード等の入力手段のデバイスドライバーや、メニュー画面の制御ソフトウェア等で実現され得る。
【０２８６】
閲覧指定送信部２２０６は、閲覧指定受付部２２０５が受け付けた閲覧指定に応じて、この閲覧指定が示す閲覧情報を要求する情報を、この閲覧指定が示す閲覧用サーバ装置２０に送信する。閲覧情報を要求する情報は、例えば、閲覧指定が示すＷＥＢページのＵＲＬである。例えば、第二表示部１３０２が表示している閲覧関連情報が、ＲＳＳデータである場合、このＲＳＳデータには、通常ＲＳＳデータに対応するＷＥＢページをリンク先に指定するリンク情報が含まれるため、この表示されているＲＳＳデータを指定する閲覧指定を閲覧指定受付部２２０５が受け付けた場合、閲覧指定送信部２２０６は、このリンク情報を読み出して、リンク先の情報を要求する情報を送信する。なお、閲覧関連情報がＲＳＳ以外の場合には、例えば、コメント管理サーバ装置２１の閲覧関連情報送信部１１０２等が、閲覧関連情報の送信時等に、閲覧関連情報に対応する閲覧情報のＵＲＬ等の情報を含めて送信するようにしても良い。閲覧指定送信部２２０６は、通常、無線または有線の通信手段で実現される。閲覧指定送信部２２０６は、通信デバイスを含むと考えても、含まないと考えても良い
【０２８７】
図２２は、コメント管理システム２の閲覧用サーバ装置２０の動作を示すフローチャートである。以下、図２２のフローチャートを用いて動作について説明する。
【０２８８】
（ステップＳ２２０１）閲覧用受信部２００５は、閲覧関連情報の送信を要求する情報を受け付けたか否かを判断する。受け付けた場合、ステップＳ２２０２に進み、受け付けていない場合、ステップＳ２２０４に進む。
【０２８９】
（ステップＳ２２０２）閲覧関連情報取得部２００３は、ステップＳ２２０１で要求された閲覧関連情報を取得する。
【０２９０】
（ステップＳ２２０３）閲覧関連情報送信部２００４は、ステップＳ２２０２で取得した閲覧関連情報を、コメント管理サーバ装置２１に送信する。そして、ステップＳ２２０１に戻る。
【０２９１】
（ステップＳ２２０４）閲覧用サーバ装置２０は、一の第一端末装置２２から閲覧情報の送信を要求する情報を受け付けたか否かを判断する。受け付けた場合、ステップＳ２２０５に進み、受け付けていない場合、ステップＳ２０１に戻る。
【０２９２】
（ステップＳ２２０５）閲覧送信部２００２は、閲覧情報格納部２００１から閲覧情報を取得する。
【０２９３】
（ステップＳ２２０６）閲覧送信部２００２は、ステップＳ２２０５で取得した閲覧情報を要求元の第一端末装置２２に送信する。そして、ステップＳ２２０１に戻る。
【０２９４】
なお、図２２のフローチャートにおいて、適宜、閲覧情報を更新する処理や、閲覧関連情報を更新する処理等を行うようにしても良い。
【０２９５】
なお、図２２のフローチャートにおいて、電源オフや処理終了の割り込みにより処理は終了する。
【０２９６】
図２３は、コメント管理システム２のコメント管理サーバ装置２１の動作を示すフローチャートである。以下、図２３のフローチャートを用いて動作について説明する。なお、図２３において、図２と同一符号は同一または相当する処理ステップを示す。
【０２９７】
（ステップＳ２０１）更新用閲覧関連情報取得部２１１５は、閲覧関連情報を取得するタイミングであるか否かを判断する。例えば、予め指定された取得する閲覧関連情報の更新のタイミング、例えば時刻であるか否か等を判断する。取得するタイミングである場合、ステップＳ２３０２に進み、取得するタイミングでなければステップＳ２０１に戻る。
【０２９８】
（ステップＳ２３０２）コメント管理サーバ装置２１は、閲覧関連情報の更新処理を行う。そして、ステップＳ２０１に戻る。
【０２９９】
なお、図２３のフローチャートにおいて、電源オフや処理終了の割り込みにより処理は終了する。
【０３００】
図２４は、コメント管理システム２のコメント管理サーバ装置２１の閲覧関連情報を取得する動作の詳細を示すフローチャートである。この処理は、図２３のステップＳ２３０２の処理の詳細を示すものである。以下、図２４のフローチャートを用いて動作について説明する。
【０３０１】
（ステップＳ２４０１）更新用閲覧関連情報取得部２１１５は、カウンターｐに１を代入する。
【０３０２】
（ステップＳ２４０２）更新用閲覧関連情報取得部２１１５は、閲覧関連情報に対応する閲覧情報の中に、ｐ番目の閲覧情報があるか否かを判断する。なお、予め指定されている閲覧関連情報の取得先の中に、ｐ番目の取得先があるか否かを判断してもよい。ある場合、ステップＳ２４０３に進み、格納されていない場合、上記の処理にリターンする。
【０３０３】
（ステップＳ２４０３）更新用閲覧関連情報取得部２１１５は、ｐ番目の閲覧情報に対応した閲覧関連情報を要求する。例えば、閲覧関連情報を要求する情報を、ｐ番目の閲覧情報に対応した閲覧用サーバ装置２０に送信する。ｐ番目の閲覧関連情報の取得先を示すアドレス（ＵＲＬ）に、閲覧関連情報を要求する情報を送信しても良い。
【０３０４】
（ステップＳ２４０４）更新用閲覧関連情報取得部２１１５は、ｐ番目の閲覧関連情報を受信したか否かを判断する。受信した場合、ステップＳ２４０５に進み、受信していない場合、ステップＳ２４０４に戻る。
【０３０５】
（ステップＳ２４０５）閲覧関連情報更新部２１１６は、ステップＳ２４０４で取得した閲覧関連情報と、閲覧関連情報格納部２１０１に格納されていた閲覧関連情報とを比較する。
【０３０６】
（ステップＳ２４０６）閲覧関連情報更新部２１１６は、比較の結果一致するか否かを判断する。一致する場合、ステップＳ４０７に進み、一致しない場合、ステップＳ４０８に進む。
【０３０７】
（ステップＳ２４０７）閲覧関連情報更新部２１１６は、ステップＳ２４０４で取得した閲覧関連情報で、閲覧関連情報格納部２１０１に格納されていたｐ番目の閲覧関連情報を更新する。例えば上書きする。
【０３０８】
（ステップＳ２４０８）閲覧関連情報更新部２１１６は、カウンターｐを１インクリメントする。そして、ステップＳ２４０２に戻る。
【０３０９】
図２５は、コメント管理システム２の第一端末装置２２の動作を示すフローチャートである。以下、図２５のフローチャートを用いて動作について説明する。なお、図２５において、図３と同一符号は同一または相当する処理ステップを示す。
【０３１０】
（ステップＳ２５０１）閲覧指定受付部２２０５は、閲覧指定を受け付けたか否かを判断する。受け付けた場合、ステップＳ２５０２に進み、受け付けていない場合、ステップＳ３０１に戻る。閲覧指定受付部２２０５は、例えば、第一表示部２２０２が表示した閲覧関連情報に対して閲覧指定を受け付ける。なお、第一表示部２２０２が閲覧関連情報を表示していない場合には、このステップは省略してステップＳ３０１に戻っても良い。
【０３１１】
（ステップＳ２５０２）閲覧指定送信部２２０６は、ステップＳ２５０１で受け付けた閲覧指定に応じた閲覧情報を要求する情報を送信する。例えば、閲覧指定によりしてされた閲覧関連情報（例えばＲＳＳ等）に対応付けられたＵＲＬ等を取得して送信する。
【０３１２】
（ステップＳ２５０３）第一受信部２２０１は、閲覧情報を受信したか否かを判断する。受信した場合、ステップＳ２５０４に進み、受信していない場合、ステップＳ２５０３に戻る。
【０３１３】
（ステップＳ２５０４）第一表示部２２０２は、ステップＳ２５０３で受信した閲覧情報を表示する。そして、ステップＳ３０１に戻る。
【０３１４】
なお、図２５のフローチャートにおいて、電源オフや処理終了の割り込みにより処理は終了する。
【０３１５】
以下、本実施の形態におけるコメント管理システム２の具体的な動作について説明する。この具体例においては、閲覧関連情報が、ユーザが指定したＷＥＢページについてのＲＳＳデータである場合を例に挙げて説明する。このＲＳＳデータは、適宜更新され、閲覧用サーバ装置２０の閲覧情報格納部２００１に格納されているものとする。この具体例において、上記実施の形態１の具体例と同様の動作を行う部分についての説明は、適宜省略する。
【０３１６】
図２６は、この具体例におけるコメント管理システム２の概念図である。この具体例は、図５に示したコメント管理システムにおいて、コメント管理サーバ装置１１の代わりに、コメント管理サーバ装置２１を、第一端末装置１２と第二端末装置１３との構成を兼ね備えた複数の通信端末装置１４の代わりに、第一端末装置２２と第二端末装置１３との構成を兼ね備えた複数の通信端末装置２４を用いるようにし、さらに、１以上の閲覧用サーバ装置２０を備えるようにしたものである。なお、ここでは複数の閲覧用サーバ装置２０を閲覧用サーバ装置２０Ａ〜閲覧用サーバ装置２０Ｄで示している。
【０３１７】
図２７は、コメント管理システム２にユーザ登録するためのユーザ登録画面の表示例を示す図である。この登録画面は、図６に示した登録画面に対して、ユーザがコメント管理システムに登録したいＷＥＢサイト（例えば自分自身の提供するＷＥＢページで構成されるＷＥＢサイト）のＵＲＬを入力するフィールド７１、上記のＷＥＢサイトのＲＳＳデータのＵＲＬを入力するフィールド７２を有している。
【０３１８】
ユーザが、ユーザ登録画面に、ユーザＩＤや個人情報等の必要事項を入力してボタン７３を押したとすると、入力された登録用の情報が、コメント管理サーバ装置２１に送信され、送信された情報は、一のユーザ情報管理情報としてユーザ情報格納部１１１３に蓄積される。
【０３１９】
図２８は、ユーザ情報格納部１１１３に格納されたユーザ情報管理情報を示す図である。このユーザ情報管理情報は、図７に示したユーザ情報管理情報において、「サイトの形態」という項目の代わりに、フィールド７１およびフィールド７２に入力された情報が配置される「サイトＵＲＬ」と、「ＲＳＳのＵＲＬ」を有しているものである。
コメント管理サーバ装置２１の更新用閲覧関連情報取得部２１１５は、予め指定されたタイミングで、各ユーザのユーザ情報管理情報の「サイトＵＲＬ」項目が示すＷＥＢページに関するＲＳＳデータを取得する。
【０３２０】
例えば、コメント管理サーバ装置２１の更新用閲覧関連情報取得部２１１５は、インターネットを介して、ユーザＡの「ＲＳＳのＵＲＬ」が示すＵＲＬ「ｈｔｔｐ：／／ｒｓｓ．ａｂｃｄ…」に、ＲＳＳデータの送信を要求する。このＵＲＬが示す閲覧用サーバ装置２０の閲覧関連情報取得部２００３は、このＵＲＬで指定されたＲＳＳを閲覧情報格納部２００１から読み出す。そして、取得閲覧関連情報送信部２００４は、読み出された閲覧関連情報をコメント管理サーバ装置２１に送信する。コメント管理サーバ装置の更新用閲覧関連情報取得部２１１５はこれにより、ユーザＡが指定するＷＥＢサイトについてのＲＳＳデータを取得する。
【０３２１】
図２９は、更新用閲覧関連情報取得部２１１５が取得したＲＳＳデータの一例を示す図である。
【０３２２】
そして、閲覧関連情報更新部２１１６は、取得したＲＳＳデータから項目別にＲＳＳデータを切り出して、ＲＳＳデータを識別する情報であるＲＳＳＩＤを付与して、閲覧関連情報格納部２１０１にユーザ別に蓄積する。項目別に切り出すとは、例えば、ＲＳＳデータに含まれている「ｉｔｅｍ」タグ区切られた単位でデータを切り出すことである。例えば項目別に切り出されたＲＳＳデータは、それぞれが個別のファイルとして蓄積される。なお、蓄積する際においては、取得したＲＳＳデータの各項目と、既に蓄積済のＲＳＳデータとを比較して、一致する項目のＲＳＳデータについては蓄積しない。なお、このようにして、最新のＲＳＳデータを追記していく代わりに、常に更新用閲覧関連情報取得部２１１５が取得した最新のＲＳＳデータで、閲覧関連情報格納部２１０１に格納されているＲＳＳデータを上書きするようにしても良い。
【０３２３】
図３０は、閲覧関連情報格納部２１０１に格納された閲覧関連情報を管理する閲覧関連管理情報を示す図である。閲覧関連管理情報は、「ユーザＩＤ」、「ＲＳＳ−ＩＤ」、「ＲＳＳファイル」という項目を有している。「ユーザＩＤ」は、ＷＥＢページを管理するユーザのユーザＩＤである。この「ユーザＩＤ」は、上述した提供ユーザＩＤに相当する。「ＲＳＳ−ＩＤ」は、閲覧関連管理情報ＩＤである。「ＲＳＳファイル」は、閲覧関連情報であり、ここでは、例えば、ＲＤＦ（Ｒｅｓｏｕｒｃｅ  Ｄｅｓｃｒｉｐｔｉｏｎ  Ｆｒａｍｅｗｏｒｋ）ファイルとして格納されている。各ＲＳＳファイルには、このＲＳＳファイルに対応するＷＥＢページのＵＲＬが格納されている。
【０３２４】
ここで、例えば、ユーザＢが、ユーザＩＤが「Ａ００１」であるユーザＡのＷＥＢページを表示させる指示を通信端末装置２４に入力すると、通信端末装置２４から、ユーザＩＤ「Ａ００１」に対応したＷＥＢページの情報を要求する情報が、コメント管理サーバ装置１１に送信される。
【０３２５】
コメント管理サーバ装置２１の閲覧関連情報送信部１１０２は、閲覧関連情報格納部２１０１に格納されている「ユーザＩＤ」が「Ａ００１」である１以上の閲覧関連管理情報の項目「ＲＳＳ−ＩＤ」および項目「ＲＳＳファイル」の情報と、ユーザ情報格納部１１１３に格納されている「ユーザＩＤ」が「Ａ００１」であるユーザ情報管理情報の情報を読み出す。
【０３２６】
また、更に、この具体例においても、図９に示すようなコメント格納部１１０４に格納されているコメントを管理するコメント管理情報がコメント格納部１１０４等に格納されているものとし、受取コメント関連情報取得部１１１０および送信コメント関連情報取得部１１１１が、上述した具体例のように、受取コメント関連情報と送信コメント関連情報とを取得する。
【０３２７】
そして、閲覧関連情報送信部１１０２は、これらを配置したＷＥＢページを上記具体例と同様に生成し、ユーザＢの通信端末装置２４に送信する。なお、閲覧関連情報送信部１１０２は、生成されるＷＥＢページの各「ＲＳＳファイル」の情報が配置される領域に、この「ＲＳＳファイル」に含まれる「ＵＲＬ」をジャンプ先に指定するリンク情報を配置する。また、閲覧関連情報送信部１１０２は、生成されるＷＥＢページの各「ＲＳＳファイル」の情報が配置される領域内に、それぞれコメント入力ボタンを設ける。
【０３２８】
図３１は、通信端末装置２４Ｂの第一表示部２２０２が表示する閲覧関連情報であるＲＳＳデータが配置されたＷＥＢページの表示例を示す図である。図において、領域８１〜領域８３は、図３０に示したユーザＩＤが「Ａ００１」である閲覧関連管理情報の「ＲＳＳファイル」の情報がそれぞれ配置された領域である。
【０３２９】
ここで、ユーザＢが、領域８１内の情報をみて、「ＲＳＳ−ＩＤ」が「ＲＳＳ３」であるＲＳＳデータに対応するＷＥＢページを閲覧したいと考えたとする。そして、この領域８１内のボタン８４ａ上以外の領域をマウス等でクリックしたとする。
【０３３０】
このマウスクリックに応じて、通信端末装置２４Ｂの閲覧指定受付部２２０５は、このクリックされたＲＳＳデータに含まれるＵＲＬ「ｈｔｔｐ：／／ｗｗｗ．ａｂｃｄ…」が示すＷＥＢページに対する閲覧指定を受け付ける。そして、閲覧指定送信部２２０６は、このＵＲＬが示す閲覧用サーバ装置２０に、このＵＲＬが示す閲覧情報を要求する情報を送信する。
【０３３１】
このＵＲＬが示す閲覧用サーバ装置２０の閲覧送信部２００２は、この閲覧情報を要求する情報に応じて、この要求する情報が示す閲覧情報（例えばＨＴＭＬファイル等のＷＥＢページの情報）を閲覧情報格納部２００１から読み出して、通信端末装置２４Ｂに送信する。
【０３３２】
通信端末装置２４Ｂの第一受信部２２０１は、閲覧用サーバ装置２０から送信される閲覧情報を受信する。そして、第一表示部２２０２は、受信した閲覧情報を表示する。ここでは、第一表示部２２０２は、受信した閲覧情報を、図３１に示したＷＥＢページの閲覧関連情報が配置されていた部分にはめ込んで表示する。例えば、このように、ＷＥＢページ内に、他のＷＥＢページ等の閲覧関連情報を埋め込んで表示する処理は、例えば、ＨＴＭＬにおけるフレーム処理等を行うことで実現可能である。なお、第一表示部２２０２は、受信した閲覧情報をはめ込んで表示する代わりに、受信した閲覧情報を別ウィンドウを開いて表示するようにしても良い。
【０３３３】
図３２は、通信端末装置２４Ｂの第一表示部２２０２が表示する閲覧情報であるＷＥＢページの表示例を示す図である。
【０３３４】
ここで、ユーザＢが、このＷＥＢページ内にはめ込まれたＷＥＢページに対応する「ＲＳＳ−ＩＤ」が「ＲＳＳ３」であるＲＳＳデータに対してコメントを入力するために、図３２に示したＷＥＢページ内の、はめ込まれたＷＥＢページ以外の領域に設けられたコメント入力フィールド８４ａにコメントを入力し、ボタン８４ｂをマウス等を操作してクリックしたとする。このクリックに応じて、入力されたコメントが、閲覧しているユーザＢのユーザＩＤ「Ｂ００２」と、コメントの対象となる閲覧関連情報ＩＤ（ＲＳＳ−ＩＤ）「ＲＳＳ３」と対応付けられてコメント管理サーバ装置１１に送信される。
【０３３５】
コメント管理サーバ装置１１は、受信したコメント等の情報を上記具体例と同様にコメント格納部１１０４に格納する。
【０３３６】
図３３は、コメントが追記された後のコメント格納部１１０４に格納されているコメントを管理するコメント管理情報を示す図である。
【０３３７】
ここで、図３２に示すＷＥＢページ内にはめ込まれた閲覧情報であるＷＥＢページに、このＷＥＢページについてのコメントを入力するための、ユーザＩＤの入力フィールド３２０１と、コメント入力フィールド３２０２と、コメント送信ボタン３２０３とが設けられているとする。そして、ユーザＢが、上記のようにボタン８４ｂを押してコメントを入力する代わりに、ユーザＩＤ「Ｂ００２」を入力フィールド３２０１に、コメントをコメント入力フィールド３２０２に入力し、送信ボタン３２０３を押したとすると、入力されたユーザＩＤ及びコメントが、はめ込まれた閲覧情報であるＷＥＢページに予め指定されている閲覧用サーバ装置２０に送信される。さらに、ここでは、このＷＥＢページをはめ込んでいるＷＥＢページに予め格納されているスクリプト等を実行することで、入力されたユーザＩＤとコメントとが、コメントの対象となる閲覧関連情報ＩＤ（ＲＳＳ−ＩＤ）「ＲＳＳ３」と対応付けられて、受取コメント情報送信部１３０４からコメント管理サーバ装置２１に送信される。
【０３３８】
これにより、はめ込まれた閲覧情報にコメントを入力した場合には、上記と同様に、コメント管理サーバ装置２１にもこのコメントが送信され、結果的にユーザＡに確認用コメントとして送信されることとなるとともに、このはめ込まれたＷＥＢページに対してもコメントが送信される。この結果、ユーザＡがＷＥＢページで提供する閲覧関連情報（例えばＲＳＳ等）に対応するＷＥＢページにもコメントが書き込まれ、このＷＥＢページのコメント数が増えて、このＷＥＢページが人気のあるＷＥＢページとなる可能性がある。その結果、このＷＥＢページについての閲覧関連情報を提供するユーザＡも、人気のあるＷＥＢページを紹介したユーザであるとして認知され、結果的に、多くのコメントを受け付けることが可能となる。また、ユーザＢも、はめ込まれたＷＥＢページにコメントを書くと、このコメントがユーザＡによって受取られた場合には、ユーザＡからコメントについてのポイントを受取ることが可能となる。このため、はめ込まれたＷＥＢページをＷＥＢブラウザ等で直接開いてコメントを書く場合に比べて、ポイントを受け取れるメリットがある。
【０３３９】
一方、上記のように、コメント入力フィールド８４ａにコメントを入力してボタン８４ｂの操作でコメントを送信することで、ユーザＢは、ユーザＡがＷＥＢページで提供する閲覧関連情報に対して、コメントを入力することができる。このため、ユーザＡがＷＥＢページで提供する閲覧関連情報に対応する閲覧情報（ＷＥＢページ）にコメントを受け付けるフィールド等がない場合であっても、ユーザはコメントを入力してポイントを受取ることが可能となる。
【０３４０】
なお、受取コメント情報送信部１３０４は、はめ込まれたＷＥＢページにユーザが記入したコメントをキャッシュ等から取得して、コメント管理サーバ装置２１に送信するようにしても良い。
【０３４１】
また、はめ込まれたＷＥＢページのコメント入力フィールド３２０２等にコメントを入力してコメントを送信した場合に、このコメントに、「コメント管理システム」等を利用して投稿されたコメントであることを示す文字列の情報等を付与したコメント等を、受取コメント情報送信部１３０４が、このはめ込まれたＷＥＢページを提供する閲覧用サーバ装置２０に送信するようにしてもよい。例えば、付与される情報は、「コメント管理システムからの投稿」等の文字列である。ただし、画像情報等であっても良い。
【０３４２】
はめ込まれたＷＥＢページを提供する閲覧用サーバ装置２０は、例えば、受取コメント情報送信部１３０４から送信されるコメントを受信すると、このコメントを、はめ込まれたＷＥＢページの情報と対応付けて図示しない記憶媒体等に蓄積する。そして、このはめ込まれたＷＥＢページの送信要求を受け付けると、このコメントを反映したＷＥＢページの情報を送信する。
【０３４３】
図３４は、閲覧用サーバ装置２０により送信された、コメントが反映されたＷＥＢページの情報を示す図である。コメントには、ここでは、上記のように、「コメント管理システムからの投稿」という文字列が配置されている。これにより、このＷＥＢページを提供するユーザや管理者は、このＷＥＢページについてのコメントが、他のシステム等を経由して入力されたものであることを認識することができる。
【０３４４】
この後は、上記実施の形態１の具体例と同様に、ユーザＡ等の操作に応じて、確認用コメントの送信する処理や、受信した確認用コメントを表示する等の処理や、受取ったコメントを出力する処理等が行われる。なお、この具体例において説明した以外の、受取コメント順位情報や送信コメント順位情報を取得して、この受取コメント順位情報や送信コメント順位情報が示す順位でユーザやユーザの提供するＷＥＢ等を表示する処理等については、上記実施の形態１の具体例と同様であるのでここでは説明を省略する。
【０３４５】
なお、この具体例においては、閲覧関連情報がＲＳＳデータである場合を例に挙げて説明したが閲覧関連情報は、ＲＳＳデータ以外のデータであっても良い。
【０３４６】
以上、本実施の形態によれば、上記実施の形態１に対して、コメント管理サーバ装置２１以外の閲覧用サーバ装置２０により提供される閲覧情報に関する閲覧関連情報を、コメント管理サーバ装置２１が取得するようにしたことにより、コメント管理サーバ装置１１で直接提供されていない閲覧情報に関するコメントを受け付け、この受け付けたコメントを受取りするか否かの判断を行うことが可能となる。この結果、コメント管理システム２により、さまざまな形態で提供されるＷＥＢページ等の閲覧情報に対するコメントおよびポイントの管理を行うことが可能となる。
【０３４７】
なお、上記各実施の形態において、各処理（各機能）は、単一の装置（システム）によって集中処理されることによって実現されてもよく、あるいは、複数の装置によって分散処理されることによって実現されてもよい。
【０３４８】
また、上記各実施の形態において、一の装置に存在する２以上の通信手段（情報送信部など）は、物理的に一の媒体で実現されても良いことは言うまでもない。
【０３４９】
また、上記実施の形態において、各構成要素が実行する処理に関係する情報、例えば、各構成要素が受け付けたり、取得したり、選択したり、生成したり、送信したり、受信したりする情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０３５０】
また、上記各実施の形態では、コメント管理システムがスタンドアロンである場合について説明したが、コメント管理システムは、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０３５１】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０３５２】
なお、上記各実施の形態におけるコメント管理システムを実現するソフトウェアは、以下のようなプログラムである。つまり、このプログラムは、閲覧用の情報に関する情報である１以上の閲覧関連情報が格納される閲覧関連情報格納部と、１以上の第一端末装置のユーザと１以上の第二端末装置のユーザとがそれぞれ所有するポイントが格納されるポイント情報格納部と、にアクセス可能なコンピュータを、閲覧関連情報格納部に格納されている１以上の閲覧関連情報を第一端末装置に送信する閲覧関連情報送信部と、第一端末装置から送信される第一端末装置に送信された閲覧関連情報の１以上に対するコメントを受信するコメント受信部と、コメント受信部が受信したコメントを、コメントに対応する閲覧関連情報を提供したユーザが利用する第二端末装置に送信する確認用コメント送信部と、確認用コメント送信部が送信したコメントのうちの、第二端末装置のユーザが受取るコメントを示す情報である１以上の受取コメント情報を第二端末装置から受信する受取コメント情報受信部と、ポイント情報格納部に格納されているポイントのうちの、受取コメント情報を送信した第二端末装置のユーザのポイントから、受取コメント情報が示すコメントを送信した第一端末装置のユーザのポイントに、予め指定されたポイントを移動させるポイント管理部として機能させるためのプログラムである。
【０３５３】
また、コンピュータを、コメント管理サーバ装置が送信するコメントを受信する確認用コメント受信部と、確認用コメント受信部が受信したコメントを表示する第二表示部と、確認用コメント受信部が受信したコメントのうちの、ユーザが受取るコメントの指定を受け付ける受取コメント受付部と、受取コメント受付部が指定を受け付けたコメントを示す受取コメント情報を、コメント管理サーバ装置に送信する受取コメント情報送信部として機能させるためのプログラムである。
【０３５４】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０３５５】
また、このプログラムを実行するコンピュータは、単数であってもよく、複数であってもよい。すなわち、集中処理を行ってもよく、あるいは分散処理を行ってもよい。
【０３５６】
図３５は、上記プログラムを実行して、上記実施の形態によるコメント管理システムを実現するコンピュータの外観の一例を示す模式図である。上記実施の形態は、コンピュータハードウェア及びその上で実行されるコンピュータプログラムによって実現されうる。
【０３５７】
図３５において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０３５８】
図３６は、コンピュータシステム９００の内部構成を示す図である。図３６において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０３５９】
コンピュータシステム９００に、上記実施の形態によるコメント管理システム等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０３６０】
プログラムは、コンピュータ９０１に、上記実施の形態によるコメント管理システムの機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０３６１】
本発明は、以上の実施の形態に限定されることなく、種々の変更が可能であり、それらも本発明の範囲内に包含されるものであることは言うまでもない。
【産業上の利用可能性】
【０３６２】
以上のように、本発明にかかるコメント管理システム等は、コメントを管理するシステム等として適しており、特に、コメントに対して与えるポイントを管理可能なシステム等として有用である。
【符号の説明】
【０３６３】
１、２  コメント管理システム
１１、２１  コメント管理サーバ装置
１２、２２  第一端末装置
１３  第二端末装置
１４、２４  通信端末装置
２０  閲覧用サーバ装置
１１０１、２１０１  閲覧関連情報格納部
１１０２  閲覧関連情報送信部
１１０３  コメント受信部
１１０４  コメント格納部
１１０５  確認用コメント送信部
１１０６  ポイント情報格納部
１１０７  受取コメント情報受信部
１１０８  ポイント管理部
１１０９  コメント出力部
１１１０  受取コメント関連情報取得部
１１１１  送信コメント関連情報取得部
１１１２  確認用コメント関連情報取得部
１１１３  ユーザ情報格納部
１１１４  ユーザ状況管理情報格納部
１２０１、２２０１  第一受信部
１２０２、２２０２  第一表示部
１２０３  コメント受付部
１２０４  コメント送信部
１３０１  確認用コメント受信部
１３０２  第二表示部
１３０３  受取コメント受付部
１３０４  受取コメント情報送信部
１３０５  指定指示受付部
１３０６  閲覧関連情報受付部
１３０７  送信部
２００１  閲覧情報格納部
２００２  閲覧送信部
２００３  閲覧関連情報取得部
２００４  取得閲覧関連情報送信部
２００５  閲覧用受信部
２１１５  更新用閲覧関連情報取得部
２１１６  閲覧関連情報更新部
２２０２  第二受信部
２２０５  閲覧指定受付部
２２０６  閲覧指定送信部
【図１】
2012133440.tif 000003
【図２】
2012133440.tif 000004
【図３】
2012133440.tif 000005
【図４】
2012133440.tif 000006
【図５】
2012133440.tif 000007
【図６】
2012133440.tif 000008
【図７】
2012133440.tif 000009
【図８】
2012133440.tif 000010
【図９】
2012133440.tif 000011
【図１０】
2012133440.tif 000012
【図１１】
2012133440.tif 000013
【図１２】
2012133440.tif 000014
【図１３】
2012133440.tif 000015
【図１４】
2012133440.tif 000016
【図１５】
2012133440.tif 000017
【図１６】
2012133440.tif 000018
【図１７】
2012133440.tif 000019
【図１８】
2012133440.tif 000020
【図１９】
2012133440.tif 000021
【図２０】
2012133440.tif 000022
【図２１】
2012133440.tif 000023
【図２２】
2012133440.tif 000024
【図２３】
2012133440.tif 000025
【図２４】
2012133440.tif 000026
【図２５】
2012133440.tif 000027
【図２６】
2012133440.tif 000028
【図２７】
2012133440.tif 000029
【図２８】
2012133440.tif 000030
【図２９】
2012133440.tif 000031
【図３０】
2012133440.tif 000032
【図３１】
2012133440.tif 000033
【図３２】
2012133440.tif 000034
【図３３】
2012133440.tif 000035
【図３４】
2012133440.tif 000036
【図３５】
2012133440.tif 000037
【図３６】
2012133440.tif 000038